(57)【特許請求の範囲】
【請求項１】
携帯コンピューティングデバイス(PCD)とPCDドッキングステーションとの間の電力分配を管理する方法であって、
前記PCDが前記PCDドッキングステーションとドッキングされているかどうかを判定する段階と、
前記PCDが前記PCDドッキングステーションとドッキングされていると判定したことに応答して、前記PCDの電源をPCDのバッテリからPCDドッキングステーションのバッテリに切り替える段階と、
前記PCDドッキングステーションのバッテリから前記PCDおよび前記PCDドッキングステーションに電力供給する段階と、
PCDのバッテリの電力が充電条件に匹敵するかどうかを判定する段階と、
前記PCDのバッテリの電力が前記充電条件に匹敵する場合に前記PCDドッキングステーションのバッテリから前記PCDのバッテリを充電する段階と、
PCDドッキングステーションのバッテリの電力を監視する段階と、
前記PCDドッキングステーションのバッテリの電力が警告条件に匹敵するかどうかを判定する段階と、
前記PCDドッキングステーションのバッテリの電力が前記警告条件に匹敵する場合に第1の警告を伝送する段階と、
前記PCDドッキングステーションのバッテリの電力が限界条件に匹敵するかどうかを判定する段階と、
前記PCDドッキングステーションのバッテリの電力が前記限界条件に匹敵する場合に第2の警告を伝送する段階と、
前記第2の警告を伝送した後に、前記PCDドッキングステーションに外部の電源が接続されているかどうかを判定する段階と、
前記PCDドッキングステーションに外部の電源が接続されていないと判定した場合に、
前記PCDおよび前記PCDドッキングステーションの電源を前記PCDドッキングステーションのバッテリから前記PCDのバッテリに切り替える段階と、
前記PCDのバッテリから前記PCDおよび前記PCDドッキングステーションに電力供給する段階と
を含む方法。
【請求項２】
前記外部の電源が接続されている場合に前記PCDドッキングステーションのバッテリを充電する段階をさらに含む請求項1に記載の方法。
【請求項３】
前記PCDのバッテリの電力を監視する段階と、
前記PCDのバッテリの電力が電力低下条件に匹敵するかどうかを判定する段階と
をさらに含む請求項1に記載の方法。
【請求項４】
前記PCDのバッテリの電力が前記電力低下条件に匹敵する場合に第3の警告を伝送する段階をさらに含む請求項3に記載の方法。
【請求項５】
前記PCDのバッテリの電力が前記電力低下条件に匹敵する場合に前記PCDおよび前記PCDドッキングステーションを電力低下させる段階をさらに含む請求項4に記載の方法。
【請求項６】
携帯コンピューティングデバイス(PCD)であって、
前記PCDがPCDドッキングステーションとドッキングされているかどうかを判定するための手段と、
前記PCDが前記PCDドッキングステーションとドッキングされていると判定したことに応答して、前記PCDの電源をPCDのバッテリからPCDドッキングステーションのバッテリに切り替えるための手段と、
前記PCDドッキングステーションのバッテリから前記PCDおよび前記PCDドッキングステーションに電力供給するための手段と、
PCDのバッテリの電力が充電条件に匹敵するかどうかを判定するための手段と、
前記PCDのバッテリの電力が前記充電条件に匹敵する場合に前記ＰＣＤドッキングステーションのバッテリから前記PCDのバッテリを充電するための手段と、
PCDドッキングステーションのバッテリの電力を監視するための手段と、
前記PCDドッキングステーションのバッテリの電力が警告条件に匹敵するかどうかを判定するための手段と、
前記PCDドッキングステーションのバッテリの電力が前記警告条件に匹敵する場合に第1の警告を伝送するための手段と、
前記PCDドッキングステーションのバッテリの電力が限界条件に匹敵するかどうかを判定する手段と、
前記PCDドッキングステーションのバッテリの電力が前記限界条件に匹敵する場合に第2の警告を伝送する手段と、
前記第2の警告を伝送した後に、前記PCDドッキングステーションに外部の電源が接続されているかどうかを判定するための手段と、
前記PCDドッキングステーションに外部の電源が接続されていないと判定した場合に、
前記PCDおよび前記PCDドッキングステーションの電源を前記PCDドッキングステーションのバッテリから前記PCDのバッテリに切り替え、
前記PCDのバッテリから前記PCDおよび前記PCDドッキングステーションに電力供給するための手段と
を備える携帯コンピューティングデバイス。
【請求項７】
前記外部の電源が接続されている場合に前記PCDドッキングステーションのバッテリを充電するための手段をさらに備える請求項6に記載の携帯コンピューティングデバイス。
【請求項８】
前記PCDのバッテリの電力を監視するための手段と、
前記PCDのバッテリの電力が電力低下条件に匹敵するかどうかを判定するための手段と
をさらに備える請求項6に記載の携帯コンピューティングデバイス。
【請求項９】
前記PCDのバッテリの電力が前記電力低下条件に匹敵する場合に第3の警告を伝送するための手段をさらに備える請求項8に記載の携帯コンピューティングデバイス。
【請求項１０】
前記PCDのバッテリの電力が前記電力低下条件に匹敵する場合に前記PCDおよび前記PCDドッキングステーションを電力低下させるための手段をさらに備える請求項9に記載の携帯コンピューティングデバイス。
【請求項１１】
携帯コンピューティングデバイス(PCD)であって、
前記PCDがPCDドッキングステーションとドッキングされているかどうかを判定し、
前記PCDが前記PCDドッキングステーションとドッキングされていると判定したことに応答して、前記PCDの電源をPCDのバッテリからPCDドッキングステーションのバッテリに切り替え、
前記PCDドッキングステーションのバッテリから前記PCDおよび前記PCDドッキングステーションに電力供給し、
PCDのバッテリの電力が充電条件に匹敵するかどうかを判定し、
前記PCDのバッテリの電力が前記充電条件に匹敵する場合に前記ＰＣＤドッキングステーションのバッテリから前記PCDのバッテリを充電し、
PCDドッキングステーションのバッテリの電力を監視し、
前記PCDドッキングステーションのバッテリの電力が警告条件に匹敵するかどうかを判定し、
前記PCDドッキングステーションのバッテリの電力が前記警告条件に匹敵する場合に第1の警告を伝送し、
前記PCDドッキングステーションのバッテリの電力が限界条件に匹敵するかどうかを判定し、
前記PCDドッキングステーションのバッテリの電力が前記限界条件に匹敵する場合に第2の警告を伝送し、
前記第2の警告を伝送した後に、前記PCDドッキングステーションに外部の電源が接続されているかどうかを判定し、
前記PCDドッキングステーションに外部の電源が接続されていないと判定した場合に、
前記PCDおよび前記PCDドッキングステーションの電源を前記PCDドッキングステーションのバッテリから前記PCDのバッテリに切り替え、
前記PCDのバッテリから前記PCDおよび前記PCDドッキングステーションに電力供給する
ように動作可能なプロセッサを備える携帯コンピューティングデバイス。
【請求項１２】
前記プロセッサが、
前記外部の電源が接続されている場合に前記PCDドッキングステーションのバッテリを充電するようにさらに動作可能な請求項11に記載の携帯コンピューティングデバイス。
【請求項１３】
前記プロセッサが、
前記PCDのバッテリの電力を監視し、
前記PCDのバッテリの電力が電力低下条件に匹敵するかどうかを判定する
ようにさらに動作可能な請求項11に記載の携帯コンピューティングデバイス。
【請求項１４】
前記プロセッサが、
前記PCDのバッテリの電力が前記電力低下条件に匹敵する場合に第3の警告を伝送するようにさらに動作可能な請求項13に記載の携帯コンピューティングデバイス。
【請求項１５】
前記プロセッサが、
前記PCDのバッテリの電力が前記電力低下条件に匹敵する場合に前記PCDおよび前記PCDドッキングステーションを電力低下させるようさらに動作可能な請求項14に記載の携帯コンピューティングデバイス。
【請求項１６】
携帯コンピューティングデバイス(PCD)がPCDドッキングステーションとドッキングされているかどうかを判定するための少なくとも1つの命令と、
前記PCDが前記PCDドッキングステーションとドッキングされていると判定したことに応答して、前記PCDの電源をPCDのバッテリからPCDドッキングステーションのバッテリに切り替えるための少なくとも1つの命令と、
前記PCDドッキングステーションのバッテリから前記PCDおよび前記PCDドッキングステーションに電力供給するための少なくとも1つの命令と、
PCDのバッテリの電力が充電条件に匹敵するかどうかを判定するための少なくとも1つの命令と、
前記PCDのバッテリの電力が前記充電条件に匹敵する場合に前記ＰＣＤドッキングステーションのバッテリから前記PCDのバッテリを充電するための少なくとも1つの命令と、
PCDドッキングステーションのバッテリの電力を監視するための少なくとも1つの命令と、
前記PCDドッキングステーションのバッテリの電力が警告条件に匹敵するかどうかを判定するための少なくとも1つの命令と、
前記PCDドッキングステーションのバッテリの電力が前記警告条件に匹敵する場合に第1の警告を伝送するための少なくとも1つの命令と、
前記PCDドッキングステーションのバッテリの電力が限界条件に匹敵するかどうかを判定するための少なくとも1つの命令と、
前記PCDドッキングステーションのバッテリの電力が前記限界条件に匹敵する場合に第2の警告を伝送するための少なくとも1つの命令と、
前記第2の警告を伝送した後に、前記PCDドッキングステーションに外部の電源が接続されているかどうかを判定するための少なくとも1つの命令と、
前記PCDドッキングステーションに外部の電源が接続されていないと判定した場合に、
前記PCDおよび前記PCDドッキングステーションの電源を前記PCDドッキングステーションのバッテリから前記PCDのバッテリに切り替え、
前記PCDのバッテリから前記PCDおよび前記PCDドッキングステーションに電力供給するための少なくとも1つの命令と
を含むコンピュータ可読媒体。
【請求項１７】
前記外部の電源が接続されている場合に前記PCDドッキングステーションのバッテリを充電するための少なくとも1つの命令をさらに含む請求項16に記載のコンピュータ可読媒体。
【請求項１８】
前記PCDのバッテリの電力を監視するための少なくとも1つの命令と、
前記PCDのバッテリの電力が電力低下条件に匹敵するかどうかを判定するための少なくとも1つの命令と
をさらに含む請求項16に記載のコンピュータ可読媒体。
【請求項１９】
前記PCDのバッテリの電力が前記電力低下条件に匹敵する場合に第3の警告を伝送するための少なくとも1つの命令をさらに含む請求項18に記載のコンピュータ可読媒体。
【請求項２０】
前記PCDのバッテリの電力が前記電力低下条件に匹敵する場合に前記PCDおよび前記PCDドッキングステーションを電力低下させるための少なくとも1つの命令をさらに含む請求項19に記載のコンピュータ可読媒体。
【発明の詳細な説明】
【技術分野】
【０００１】
本発明は、一般的に、携帯コンピューティングデバイスに関するものであり、より具体的には、携帯コンピューティングデバイスドッキングステーションに関するものである。
【０００２】
関連出願
本出願は、2009年3月27日に出願した米国仮特許出願第61/164,084号、名称「SYSTEM AND METHOD OF MANAGING POWER AT A PORTABLE COMPUTING DEVICE AND A PORTABLE COMPUTING DEVICE DOCKING STATION」の優先権を主張するものである。
【背景技術】
【０００３】
携帯コンピューティングデバイス(PCD)は、至るところに存在する。このようなデバイスとしては、携帯電話、携帯情報端末(PDA)、携帯ゲーム機、パームトップコンピュータ、および他の携帯電子デバイスが挙げられる。技術が進歩するにつれ、PCDは次第に大きなパワーを持つようになり、計算能力の点でも記憶装置の機能の面でもラップトップコンピュータおよびデスクトップコンピュータに匹敵する。
【０００４】
しかし、PCDを使用する上での欠点の1つは、PCDに典型的に伴う小さいフォームファクタである。PCDが小さくなればなるほど、また携帯性が向上するほど、PCDは次第に使いにくいものとなる可能性がある。さらに、PCDの小さいフォームファクタは、PCDのシェル、つまりハウジングの中に組み込むことができるポートの数、つまり接続数を制限する場合がある。したがって、PCDがより大きなパワーを持ち、機能が向上したとしても、パワーおよび機能の利用はPCDのサイズの制限を受ける可能性がある。
【発明の概要】
【発明が解決しようとする課題】
【０００５】
したがって、必要なのは、PCDが備える計算機能を活かすためのシステムおよび方法の改善である。
【課題を解決するための手段】
【０００６】
携帯コンピューティングデバイス(PCD)とPCDドッキングステーションとの間の電力分配を管理する方法が開示され、この方法は、PCDがPCDドッキングステーションとドッキングされていると判定する段階と、PCDの電源をPCDのバッテリからPCDドッキングステーションのバッテリに切り替える段階と、PCDドッキングステーションのバッテリからPCDおよびPCDドッキングステーションに電力供給する段階とを含みうる。さらに、この方法は、PCDのバッテリの電力が充電条件に匹敵するどうかを判定する段階と、PCDのバッテリの電力が充電条件に匹敵する場合にPCDのバッテリを充電する段階とを含みうる。この方法はまた、PCDドッキングステーションのバッテリの電力を監視する段階と、PCDドッキングステーションのバッテリの電力が警告条件に匹敵するかどうかを判定する段階と、PCDドッキングステーションのバッテリの電力が警告条件に匹敵する場合に第1の警告を伝送する段階とを含みうる。
【０００７】
この態様では、この方法は、PCDドッキングステーションのバッテリの電力が限界条件に匹敵するかどうかを判定する段階と、PCDドッキングステーションのバッテリの電力が限界条件に匹敵する場合に第2の警告を伝送する段階とを含みうる。この方法は、PCDドッキングステーションに外部の電源が接続されているかどうかを判定する段階と、外部の電源が接続されている場合にPCDドッキングステーションのバッテリを充電する段階と、PCDおよびPCDドッキングステーションの電源をPCDドッキングステーションのバッテリからPCDのバッテリに切り替える段階と、PCDのバッテリからPCDおよびPCDドッキングステーションに電力供給する段階とを含みうる。
【０００８】
さらに、この方法は、PCDのバッテリの電力を監視する段階と、PCDのバッテリの電力が電力低下条件に匹敵するかどうかを判定する段階とを含みうる。この方法はまた、PCDのバッテリの電力が電力低下条件に匹敵する場合に第3の警告を伝送する段階と、PCDのバッテリの電力が電力低下条件に匹敵する場合にPCDおよびPCDドッキングステーションを電力低下させる段階を含みうる。
【０００９】
他の態様では、携帯コンピューティングデバイスが開示され、この携帯コンピューティングデバイスは、PCDがPCDドッキングステーションとドッキングされていると判定するための手段と、PCDの電源をPCDのバッテリからPCDドッキングステーションのバッテリに切り替えるための手段と、PCDドッキングステーションのバッテリからPCDおよびPCDドッキングステーションに電力供給するための手段とを備えうる。この携帯コンピューティングデバイスは、PCDのバッテリの電力が充電条件に匹敵するかどうかを判定するための手段と、PCDのバッテリの電力が充電条件に匹敵する場合にPCDのバッテリを充電するための手段とを備えうる。また、この携帯コンピューティングデバイスは、PCDドッキングステーションのバッテリの電力を監視するための手段と、PCDドッキングステーションのバッテリの電力が警告条件に匹敵するかどうかを判定するための手段と、PCDドッキングステーションのバッテリの電力が警告条件に匹敵する場合に第1の警告を伝送するための手段とを備えうる。
【００１０】
この態様では、この携帯コンピューティングデバイスは、PCDドッキングステーションのバッテリの電力が限界条件に匹敵するかどうかを判定するための手段と、PCDドッキングステーションのバッテリの電力が限界条件に匹敵する場合に第2の警告を伝送するための手段とを備えうる。さらに、この携帯コンピューティングデバイスは、PCDドッキングステーションに外部の電源が接続されているかどうかを判定するための手段と、外部の電源が接続されている場合にPCDドッキングステーションのバッテリを充電するための手段と、PCDおよびPCDドッキングステーションの電源をPCDドッキングステーションのバッテリからPCDのバッテリに切り替えるための手段と、PCDのバッテリからPCDおよびPCDドッキングステーションに電力供給するための手段とを備えうる。
【００１１】
この携帯コンピューティングデバイスはまた、PCDのバッテリの電力を監視するための手段と、PCDのバッテリの電力が電力低下条件に匹敵するかどうかを判定するための手段とをさらに備えうる。さらに、この携帯コンピューティングデバイスは、PCDのバッテリの電力が電力低下条件に匹敵する場合に第3の警告を伝送するための手段と、PCDのバッテリの電力が電力低下条件に匹敵する場合にPCDおよびPCDドッキングステーションを電力低下させるための手段を備えうる。
【００１２】
他の態様では、携帯コンピューティングデバイスが開示され、この携帯コンピューティングデバイスはプロセッサを備えうる。このプロセッサは、PCDがPCDドッキングステーションとドッキングされていると判定し、PCDの電源をPCDのバッテリからPCDドッキングステーションのバッテリに切り替え、PCDドッキングステーションのバッテリからPCDおよびPCDドッキングステーションに電力供給するように動作可能でありうる。さらに、このプロセッサは、PCDのバッテリの電力が充電条件に匹敵するどうかを判定し、PCDのバッテリの電力が充電条件に匹敵する場合にPCDのバッテリを充電するようにさらに動作可能でありうる。このプロセッサはまた、PCDドッキングステーションのバッテリの電力を監視し、PCDドッキングステーションのバッテリの電力が警告条件に匹敵するかどうかを判定し、PCDドッキングステーションのバッテリの電力が警告条件に匹敵する場合に第1の警告を伝送するよう動作可能でありうる。
【００１３】
この態様では、このプロセッサは、PCDドッキングステーションのバッテリの電力が限界条件に匹敵するかどうかを判定し、PCDドッキングステーションのバッテリの電力が限界条件に匹敵する場合に第2の警告を伝送するように動作可能でありうる。また、このプロセッサは、PCDドッキングステーションに外部の電源が接続されているかどうかを判定し、外部の電源が接続されている場合にPCDドッキングステーションのバッテリを充電し、PCDおよびPCDドッキングステーションの電源をPCDドッキングステーションのバッテリからPCDのバッテリに切り替え、PCDのバッテリからPCDおよびPCDドッキングステーションに電力供給するように動作可能でありうる。
【００１４】
このプロセッサは、PCDのバッテリの電力を監視し、PCDのバッテリの電力が電力低下条件に匹敵するかどうかを判定し、PCDのバッテリの電力が電力低下条件に匹敵する場合に第3の警告を伝送し、PCDのバッテリの電力が電力低下条件に匹敵する場合にPCDおよびPCDドッキングステーションを電力低下させるようにさらに動作可能でありうる。
【００１５】
他の態様では、コンピュータプログラム製品が開示されている。このコンピュータプログラム製品はコンピュータ可読媒体を含みうる。このコンピュータ可読媒体は、PCDがPCDドッキングステーションとドッキングされていると判定するための少なくとも1つの命令と、PCDの電源をPCDのバッテリからPCDドッキングステーションのバッテリに切り替えるための少なくとも1つの命令と、PCDドッキングステーションのバッテリからPCDおよびPCDドッキングステーションに電力供給するための少なくとも1つの命令とを含みうる。さらに、このコンピュータ可読媒体は、PCDのバッテリの電力が充電条件に匹敵するかどうかを判定するための少なくとも1つの命令と、PCDのバッテリの電力が充電条件に匹敵する場合にPCDのバッテリを充電するための少なくとも1つの命令と含みうる。
【００１６】
この態様では、コンピュータ可読媒体は、PCDドッキングステーションのバッテリの電力を監視するための少なくとも1つの命令と、PCDドッキングステーションのバッテリの電力が警告条件に匹敵するかどうかを判定するための少なくとも1つの命令と、PCDドッキングステーションのバッテリの電力が警告条件に匹敵する場合に第1の警告を伝送するための少なくとも1つの命令とをさらに含みうる。また、このコンピュータ可読媒体は、PCDドッキングステーションのバッテリの電力が限界条件に匹敵するかどうかを判定するための少なくとも1つの命令と、PCDドッキングステーションのバッテリの電力が限界条件に匹敵する場合に第2の警告を伝送するための少なくとも1つの命令と含みうる。
【００１７】
このコンピュータ可読媒体はさらに、PCDドッキングステーションに外部の電源が接続されているかどうかを判定するための少なくとも1つの命令と、外部の電源が接続されている場合にPCDドッキングステーションのバッテリを充電するための少なくとも1つの命令と、PCDおよびPCDドッキングステーションの電源をPCDドッキングステーションのバッテリからPCDのバッテリに切り替えるための少なくとも1つの命令と、PCDのバッテリからPCDおよびPCDドッキングステーションに電力供給するための少なくとも1つの命令とを含みうる。
【００１８】
加えて、このコンピュータ可読媒体は、PCDのバッテリの電力を監視するための少なくとも1つの命令と、PCDのバッテリの電力が電力低下条件に匹敵するかどうかを判定するための少なくとも1つの命令とを含みうる。このコンピュータ可読媒体は、PCDのバッテリの電力が電力低下条件に匹敵する場合に第3の警告を伝送するための少なくとも1つの命令と、PCDのバッテリの電力が電力低下条件に匹敵する場合にPCDおよびPCDドッキングステーションを電力低下させるための少なくとも1つの命令とを備えうる。
【００１９】
図では、類似の参照番号は、断りのない限り、様々な図面全体を通して類似の部分を指している。
【図面の簡単な説明】
【００２０】
【図１】閉鎖位置にある携帯コンピューティングデバイス(PCD)の正面図である。
【図２】開放位置にあるPCDの正面図である。
【図３】PCDの底面図である。
【図４】PCDの側面図である。
【図５】PCDの第1の態様のブロック図である。
【図６】閉鎖構成のPCDドッキングステーションの第1の態様の正面図である。
【図７】閉鎖構成のPCDドッキングステーションの第1の態様の後面図である。
【図８】閉鎖構成のPCDドッキングステーションの第1の態様の第1の側面図である。
【図９】閉鎖構成のPCDドッキングステーションの第1の態様の第2の側面図である。
【図１０】開放構成のPCDドッキングステーションの第1の態様の正面図である。
【図１１】PCDがドッキングされている開放構成のPCDドッキングステーションの第1の態様の正面図である。
【図１２】閉鎖構成のPCDドッキングステーションの第2の態様の側面図である。
【図１３】開放構成のPCDドッキングステーションの第2の態様の正面図である。
【図１４】PCDが部分的にドッキングされている開放構成のPCDドッキングステーションの第2の態様の正面図である。
【図１５】PCDがドッキングされている開放構成のPCDドッキングステーションの第2の態様の正面図である。
【図１６】閉鎖構成のPCDドッキングステーションの第3の態様の側面図である。
【図１７】PCDが部分的にドッキングされている開放構成のPCDドッキングステーションの第3の態様の正面図である。
【図１８】閉鎖構成のPCDドッキングステーションの第4の態様の側面図である。
【図１９】PCDドッキングトレイが開放位置にある開放構成のPCDドッキングステーションの第4の態様の正面図である。
【図２０】PCDドッキングトレイが開放位置にある開放構成のPCDドッキングステーションの第4の態様の正面図である。
【図２１】PCDドッキングトレイが開放位置にあり、PCDがドッキングしている、開放構成のPCDドッキングステーションの第4の態様の正面図である。
【図２２】PCDドッキングトレイが開放位置にあり、PCDがドッキングしている、開放構成のPCDドッキングステーションの第4の態様の側面図である。
【図２３】閉鎖構成のPCDドッキングステーションの第5の態様の側面図である。
【図２４】PCDドッキングトレイが開放位置にある開放構成のPCDドッキングステーションの第5の態様の正面図である。
【図２５】PCDドッキングトレイが開放位置にあり、PCDがドッキングしている、開放構成のPCDドッキングステーションの第5の態様の正面図である。
【図２６】開放構成のPCDドッキングステーションの第6の態様の正面図である。
【図２７】PCDがドッキングされている開放構成のPCDドッキングステーションの第6の態様の正面図である。
【図２８】PCD/PCDドッキングステーションシステムの第1の態様のブロック図である。
【図２９】PCD/PCDドッキングステーションシステムの第2の態様のブロック図である。
【図３０】PCD/PCDドッキングステーションシステムの第3の態様のブロック図である。
【図３１】PCD/PCDドッキングステーションシステムの第4の態様のブロック図である。
【図３２】PCDの第2の態様のブロック図である。
【図３３】PCDおよびPCDドッキングステーションの電力を管理する方法を例示する流れ図の第1の部分である。
【図３４】PCDおよびPCDドッキングステーションの電力を管理する方法を例示する流れ図の第2の部分である。
【発明を実施するための形態】
【００２１】
「例示的な」という単語は、本明細書では、「一例、事例、または例示として使用する」ことを意味するために使用される。本明細書で「例示的な」と説明されている態様は、必ずしも、他の態様よりも好ましい、または有利であると解釈されるべきではない。
【００２２】
この説明では、「アプリケーション」という用語は、オブジェクトコード、スクリプト、バイトコード、マークアップ言語ファイル、およびパッチなどの、実行可能コンテンツを有するファイルも含みうる。それに加えて、本明細書で参照されている「アプリケーション」は、開く必要のあるドキュメントまたはアクセスする必要のある他のデータファイルなどの、その性質上実行可能でないファイルも含みうる。
【００２３】
「コンテンツ」という用語は、オブジェクトコード、スクリプト、バイトコード、マークアップ言語ファイル、およびパッチなどの、実行可能コンテンツを有するファイルも含みうる。それに加えて、本明細書で参照されている「コンテンツ」は、開く必要のあるドキュメントまたはアクセスする必要のある他のデータファイルなどの、その性質上実行可能でないファイルも含みうる。
【００２４】
この説明で使用されているように、「コンポーネント」、「データベース」、「モジュール」、「システム」、および同様の用語は、コンピュータ関連のエンティティ、つまりハードウェア、ファームウェア、ハードウェアとソフトウェアの組み合わせ、ソフトウェア、または実行中のソフトウェアのいずれかを指すことを意図されている。例えば、コンポーネントとして、限定はしないが、プロセッサ上で実行されているプロセス、プロセッサ、オブジェクト、実行可能ファイル、実行のスレッド、プログラム、および/またはコンピュータなどがある。一例として、コンピューティングデバイスで動作するアプリケーションとそのコンピューティングデバイスとの両方を、コンポーネントとすることができる。1つまたは複数のコンポーネントは、1つのプロセスおよび/または実行のスレッド内に常駐することができ、またコンポーネントは、1台のコンピュータにローカルとして配置され、および/または2台以上のコンピュータ間に分散されることも可能である。それに加えて、これらのコンポーネントは、そこに様々なデータ構造を格納された様々なコンピュータ可読媒体から実行することができる。コンポーネントは、1つまたは複数のデータパケットを有する信号(例えば、信号によって、ローカルシステム、分散システム内で、および/または他のシステムとのインターネットなどのネットワークを介して、一方のコンポーネントとやり取りする他方のコンポーネントからのデータ)によるなど、ローカルプロセスおよび/またはリモートプロセスによって通信することができる。
【００２５】
図1から図4までを最初に参照すると、例示的な携帯コンピューティングデバイス(PCD)が示され、一般的に100で表される。図示されているように、PCD 100は、ハウジング102を含みうる。ハウジング102は、上側ハウジング部分104と下側ハウジング部分106とを備えることができる。図1は、上側ハウジング部分104にディスプレイ108が収納されうることを示している。特定の一態様において、ディスプレイ108は、タッチスクリーンディスプレイとすることができる。上側ハウジング部分104には、トラックボール入力デバイス110も収納することができる。さらに、図1に示されているように、上側ハウジング部分104は、パワーオンボタン112およびパワーオフボタン114を備えることができる。図1に示されているように、PCD 100の上側ハウジング部分104は、複数のインジケータライト116およびスピーカ118を備えることができる。それぞれのインジケータライト116は、発光ダイオード(LED)とすることができる。
【００２６】
特定の一態様では、図2に示されているように、上側ハウジング部分104は、下側ハウジング部分106に相対的に移動可能である。特に、上側ハウジング部分104は、下側ハウジング部分106に相対的に摺動可能であるものとしてよい。図2に示されているように、下側ハウジング部分106は、マルチボタンキーボード120を備えることができる。特定の一態様において、マルチボタンキーボード120は、QWERTYキーボードとすることができる。マルチボタンキーボード120は、上側ハウジング部分104が下側ハウジング部分106に相対的に移動すると見えるものとしてよい。図2は、PCD 100が下側ハウジング部分106上にリセットボタン122を備えることができることをさらに示している。
【００２７】
図3に示されているように、PCD 100は、PCD 100の短い端部、例えば、PCD 100の底部に画成された、または他の何らかの形で配設された多ピンコネクタアレイ130を備えることができる。あるいは、図4に示されているように、PCD 100は、PCD 100の長い端部、例えば、PCD 100の左側またはPCD 100の右側に画成された、または他の何らかの形で配設された多ピンコネクタアレイ132を備えることができる。特定の一態様では、多ピンコネクタアレイ130、132は、PCD 100とPCDドッキングステーションの一態様とを接続することができ、これについて以下で説明する。
【００２８】
図5を参照すると、携帯コンピューティングデバイス(PCD)の例示的で非限定的な態様が示され、一般的に520で表される。図示されているように、PCD 520は、結合されて一体となっているデジタルシグナルプロセッサ524およびアナログシグナルプロセッサ526を備えるオンチップシステム522を備える。オンチップシステム522は、2つより多いプロセッサを備えていてもよい。例えば、オンチップシステム522は、4つのコアプロセッサとARM 11プロセッサ、つまり、図32を参照しつつ以下で説明されているようなプロセッサを備えることができる。オンチップシステム522は、他のタイプのプロセッサ、例えば、CPU、マルチコアCPU、マルチコアDSP、GPU、マルチコアGPU、またはこれらの任意の組み合わせを備えることができる。
【００２９】
図5に例示されているように、ディスプレイコントローラ528およびタッチスクリーンコントローラ530は、デジタルシグナルプロセッサ524に結合されている。次いで、オンチップシステム522に外付けのタッチスクリーンディスプレイ532がディスプレイコントローラ528およびタッチスクリーンコントローラ530に結合される。
【００３０】
図5は、ビデオエンコーダ534、例えば、PAL(Phase Alternating Line)エンコーダ、SECAM(Sequential Couleur A Memoire)エンコーダ、またはNTSC(National Television Systems Committee)エンコーダがデジタルシグナルプロセッサ524に結合されていることをさらに示している。さらに、ビデオ増幅器536がビデオエンコーダ534およびタッチスクリーンディスプレイ532に結合される。また、ビデオポート538がビデオ増幅器536に結合される。図5に例示されているように、USB(Universal Serial Bus)540がデジタルシグナルプロセッサ524に結合されている。また、USBポート542がUSBコントローラ540に結合される。メモリ544およびSIM(加入者識別モジュール)カード546も、デジタルシグナルプロセッサ524に結合することができる。さらに、図5に例示されているように、デジタルカメラ548をデジタルシグナルプロセッサ524に結合することができる。例示的な一態様では、デジタルカメラ548は、CCD(電荷結合素子)カメラまたはCMOS(相補型金属酸膜半導体)カメラである。
【００３１】
図5にさらに例示されているように、ステレオオーディオCODEC 550をアナログシグナルプロセッサ526に結合することができる。さらに、オーディオ増幅器552をステレオオーディオCODEC 550に結合することができる。例示的な一態様では、第1のステレオスピーカ554および第2のステレオスピーカ556は、オーディオ増幅器552に結合される。図5は、マイクロホン増幅器558もステレオオーディオCODEC 550に結合されうることを示している。それに加えて、マイクロホン560をマイクロホン増幅器558に結合することができる。特定の一態様では、FM(周波数変調)ラジオチューナ562をステレオオーディオCODEC 550に結合することができる。また、FMアンテナ564がFMラジオチューナ562に結合される。さらに、ステレオヘッドホン566をステレオオーディオCODEC 550に結合することができる。
【００３２】
図5は、RF(無線周波数)トランシーバ568をアナログシグナルプロセッサ526に結合することができることをさらに示している。RFスイッチ570は、RFトランシーバ568およびRFアンテナ572に結合されうる。図5に示されているように、キーパッド574をアナログシグナルプロセッサ526に結合することができる。また、マイクロホン付きのモノラルヘッドセット576をアナログシグナルプロセッサ526に結合することができる。さらに、振動デバイス578をアナログシグナルプロセッサ526に結合することができる。図5は、電源580がオンチップシステム522に結合されうることを示している。特定の一態様では、電源580は、電力を必要とするPCD 520の様々なコンポーネントに電力を供給する直流(DC)電源である。さらに、特定の一態様では、電源は充電式DCバッテリまたは交流(AC)からAC電源に接続されている直流変流器に通されて得られるDC電源である。
【００３３】
図5に示されているように、PCD 520はGPS(全地球測位システム)モジュール582を備えることができる。GPSモジュール582は、PCD 520の位置を決定するために使用することができる。さらに、GPSモジュール582は、連続的位置情報を決定することによってPCD 520が動いているかどうかを判定するために使用することができる。また、この連続的位置情報に基づいて、PCD 520が移動している速度を決定することができる。
【００３４】
図5は、PCD 520が、例えばメモリ544内に、管理モジュール584を備えることができることを示している。管理モジュール584は、PCDの電力、PCDドッキングステーションの電力、あるいはこれらの組み合わせを管理するために使用されうる。
【００３５】
さらに、他の態様では、管理モジュール584は、PCD 520内のメモリ544、PCDドッキングステーション内のメモリ、あるいはこれらの組み合わせを管理するために使用されうる。特に、管理モジュール584は、PCD 520内に格納されている1つまたは複数のアプリケーション、PCD 520内に格納されている1つまたは複数のコンテンツアイテム、PCDドッキングステーション内に格納されている1つまたは複数のアプリケーション、PCDドッキングステーション内に格納されている1つまたは複数のコンテンツアイテム、PCD520から受け取った1つまたは複数のアプリケーションダウンロード要求、PCD520から受け取った1つまたは複数のコンテンツアイテムダウンロード要求、PCDドッキングステーションから受け取った1つまたは複数のアプリケーションダウンロード要求、PCDドッキングステーションから受け取った1つまたは複数のコンテンツアイテムダウンロード要求、あるいはこれらの組み合わせを管理するために使用することができる。
【００３６】
さらに他の態様では、管理モジュール584は、PCD 520とPCDドッキングステーション、例えば、嵌合PCDドッキングステーション、非嵌合ドッキングステーション、またはその組み合わせとの間のセキュリティを管理するためにも使用されうる。さらに、管理モジュール584は、PCD 520内のディスプレイ532、PCDドッキングステーション内のディスプレイ、あるいはこれらの組み合わせを管理するためにも使用されうる。それに加えて、管理モジュール584は、PCD 520で受け取った呼を、例えば、PCD 520がPCDドッキングステーションにドッキングされているか、またはドッキングを外されている間に、管理するために使用されうる。管理モジュール584は、PCD 520から伝送された呼を、例えば、PCD 520がPCDドッキングステーションにドッキングされているか、またはドッキングを外されている間に、管理するために使用されうる。管理モジュール584は、PCD 520との間の他のデータ伝送を、PCD 520が、例えばWi-Fiネットワーク、WPAN、セルラネットワーク、または他の無線データネットワークを介して、ドッキングされているか、またはドッキングを外されている間に、管理するためにも使用されうる。
【００３７】
さらに他の態様では、管理モジュール584は、PCD 520内のプロセッサを、例えば、PCD 520がPCDドッキングステーションとドッキングされているとき、PCD 520がPCDドッキングステーションとのドッキングを外されているとき、またはその組み合わせた状況において、管理するために使用されうる。管理モジュール584は、PCD 520内のアプリケーションの実行を、PCDがPCDドッキングステーションにドッキングされているか、またはドッキングを外されている間に、管理するためにも使用されうる。例えば、管理モジュール584は、1次アプリケーションバージョン、2次アプリケーションバージョン、標準アプリケーションバージョン、機能強化アプリケーションバージョン、あるいはこれらの組み合わせの実行を管理することができる。
【００３８】
図5は、PCD 520が、DSP 524に接続されたセンサ586をさらに備えることができることを示している。センサ586は、運動センサ、傾斜センサ、近接センサ、衝撃センサ、あるいはこれらの組み合わせであるものとしてよい。センサ586は、状況認識アプリケーションに使用することができる。例えば、センサ586を使用して、ユーザがPCD 520を自分の耳まで、または着信呼に自動的に接続する運動の頂点に持ち上げる運動を検出することができる。さらに、センサ586は、PCD 520の運動が長時間にわたって生じていないことを検出することができるが、PCD 520は、自動的に電源を落とすか、またはスリープモードに入ることができる。センサ586は、運動がもう一度検出されたときに、PCD 520をスリープモード、またはオフモードからアクティブモードに切り換えられるように給電状態のままにすることができる。
【００３９】
センサ586は、傾斜感知アプリケーションと併用することができる。例えば、センサ586を、移動が関連するユーザインターフェイスアプリケーションに使用することができる。センサ586は、写真、または画面、配向を感知するために使用されうる。さらに、センサ586は、傾斜感知結果に基づいて、ナビゲート、スクロール、ブラウズ、ズーム、パン、あるいはこれらの組み合わせを実行するために使用することができる。センサ586は、ゲームアプリケーションと連携して使用することもできる。他のアプリケーションでは、センサ586を衝撃検出に使用することで、PCD 520内のハードディスクドライブ、またはPCD 520がドッキングされているか、または他の何らかの形で係合しているPCDドッキングステーション内のハードディスクドライブを保護することができる。さらに、センサ586は、タップ検出に使用することができる。
【００４０】
図5は、データネットワーク、例えば、ローカルエリアネットワーク、パーソナルエリアネットワーク、または他の任意のネットワークにアクセスするために使用することができるネットワークカード588を備えることもできることをさらに示している。ネットワークカード588は、Bluetoothネットワークカード、WiFiネットワークカード、PAN(パーソナルエリアネットワーク)カード、PeANUT(Personal Area Network Ultra-Low-Power Technology)ネットワークカード、または当技術分野でよく知られている他の任意のネットワークカードとすることができる。さらに、ネットワークカード588は、チップに組み込むことができる、つまり、ネットワークカード588はチップ内の完全なソリューションであって、別のネットワークカード588でないものとすることができる。
【００４１】
図5に示されているように、タッチスクリーンディスプレイ532、ビデオポート538、USBポート542、カメラ548、第1のステレオスピーカ554、第2のステレオスピーカ556、マイクロホン560、FMアンテナ564、ステレオヘッドホン566、RFスイッチ570、RFアンテナ572、キーパッド574、モノラルヘッドセット576、バイブレータ578、および電源580は、オンチップシステム522に外付けされる。
【００４２】
特定の一態様では、本明細書で説明されている方法ステップのうちの1つまたは複数を、コンピュータプログラム命令としてメモリ544に格納することができる。これらの命令は、本明細書で説明されている方法を実行するために、プロセッサ524、526によって実行されうる。さらに、プロセッサ524、526、ディスプレイコントローラ528、タッチスクリーンコントローラ530、メモリ544、管理モジュール584、ネットワークカード588、あるいはこれらの組み合わせは、本明細書で説明されている方法ステップのうちの1つまたは複数を実行するための手段として使用されうる。
【００４３】
次に、図6から図11までを参照すると、PCDドッキングステーションの第1の態様が示され、一般的に600で表される。図示されているように、PCDドッキングステーション600は、一般的に平坦な、箱形の下側ハウジング部分604と一般的に平坦な、箱形の上側ハウジング部分606を有するハウジング602を備えることができる。特定の一態様では、上側ハウジング部分606は、第1のちょうつがい608と第2のちょうつがい610とによって下側ハウジング部分604に接続することができる。ハウジング602の上側ハウジング部分606は、ハウジング602の下側ハウジング部分604に関して、ちょうつがい608、610の周りで回転することができる。したがって、上側ハウジング部分606は、図6から図9に示されている、閉鎖位置、つまり閉鎖構成と図10および図11に示されている、開放位置、つまり開放構成との間でハウジング602の下側ハウジング部分604に相対的に、回転されうるか、または他の何らかの形で移動されうる。開放位置は、ハウジング602の上側ハウジング部分606が回転してハウジング602の下側ハウジング部分604から離れ、ハウジング602の下側ハウジング部分604に関して複数の角度で配設される複数の開放位置を含むものとしてよいことは理解されうる。
【００４４】
しかし、PCDドッキングステーション600は、ちょうつがい608、610が上側ハウジング部分606を下側ハウジング部分604に結合する状態で示されている。上側ハウジング部分606は、摺動アセンブリ(図示せず)を介して下側ハウジング部分604に結合されるか、または他の何らかの方法で接続されうることは理解されうる。上側ハウジング部分606は、下側ハウジング部分604、上側ハウジング部分606、またはその組み合わせの中で1つまたは複数のコンポーネントを露わにするために下側ハウジング部分604に関して摺動することができる。さらに、上側ハウジング部分606および下側ハウジング部分604は、当技術分野でよく知られている様々な他の結合メカニズムを介して、ぴったり合わさるか、または結合されるか、または他の何らかの方法で接続されうる。
【００４５】
図6から図9に示されているように、PCDドッキングステーション600は、第1の前足部612および第2の前足部614を備えることができる。さらに、PCDドッキングステーション600は、第1の後足部616および第2の後足部618も備えることができる。それぞれの足部612、614、616、618は、机またはテーブルの上に置いたときにPCDドッキングステーション600を支持し、机またはテーブルに関してPCDドッキングステーション600が滑らないように、ポリマー、ゴム、または他の類似の種類の材料から作ることができる。
【００４６】
図6、図10、および図11に例示されているように、PCDドッキングステーション600は、ラッチアセンブリ620を備えることができる。ラッチアセンブリ620は、ハウジング602の上側ハウジング部分606から延在する第1のフック622および第2のフック624を備えることができる。第1のフック622および第2のフック624は、互いに接続され、またスライダ626に接続されうる。ラッチアセンブリ620は、ハウジング602の下側ハウジング部分604内に形成された第1のフックポケット628および第2のフックポケット630を備えることもできる。第1のフックポケット628および第2のフックポケット630は、第1のフック622および第2のフック624を受け入れ、係合するようなサイズおよび形状のものとすることができる。スライダ626は、ハウジング602の上側ハウジング部分606に関して移動するか、または他の何らかの方法で摺動することができ、これにより、フックポケット628、630からフック624、626を外し、PCDドッキングステーション600のロックを解除し、ハウジング602の上側ハウジング部分606をハウジング602の下側ハウジング部分604に関して回転させることができる。
【００４７】
図9は、ハウジング602の下側ハウジング部分604が、複数の外部デバイス接続端子640を備えることができることを例示している。例えば、ハウジング602の下側ハウジング部分604は、IEEE 1284接続端子642、第1のUSB(ユニバーサルシリアルバス)接続端子644、第2のUSB(ユニバーサルシリアルバス)接続端子646、RJ-11(レジスタジャック)接続端子648、RJ-45接続端子650、マイクロホンジャック652、およびヘッドホン/スピーカジャック654を備えることができる。さらに、ハウジング602の下側ハウジング部分604は、Sビデオ接続端子656、VGA(ビデオグラフィックスアレイ)接続端子658、および交流(AC)電源アダプタ接続端子660を備えることができる。ハウジング602の下側ハウジング部分604は、本明細書の別のところで説明されている、他の接続端子を備えることができる。
【００４８】
次に図10および図11を参照すると、PCDドッキングステーション600の上側ハウジング部分606は、ディスプレイ670を中に組み込んで備えうることがわかる。例えば、ディスプレイ670は、LCD(液晶ディスプレイ)、LED(発光ダイオード)ディスプレイ、バックライトLEDディスプレイ、OLED(有機発光ダイオード)ディスプレイ、または他のタイプのディスプレイとすることができる。PCDドッキングステーション600の下側ハウジング部分604は、キーボード672を中に組み込んで備えることができる。キーボード672は、フルQWERTYキーボードであってよい。PCDドッキングステーション600の下側ハウジング部分604は、タッチパッドマウス674を中に組み込んで備えることができる。さらに、PCDドッキングステーション600の下側ハウジング部分604は、第1のマウスボタン676および第2のマウスボタン678を中に組み込んで備えることができる。マウスボタン676、678は、タッチパッドマウス674の近くにあってもよい。それに加えて、図10および図11に示されているように、ハウジング602の下側ハウジング部分604は、第1のスピーカ680および第2のスピーカ682を中に組み込んで備えることができる。ハウジング602の下側ハウジング部分604は、指紋読取装置684を中に組み込んで備えることができる。
【００４９】
図10に例示されているように、ハウジング602の下側ハウジング部分604は、その表面内に形成された片面開放の閉端PCDドッキングポケット690を備えることができる。この態様では、片面開放の閉端PCDドッキングポケット690は、対応するサイズおよび形状のPCD、例えば図1から図4に示されているPCD 100を受け入れるサイズおよび形状のものとすることができる。片面開放の閉端PCDドッキングポケット690は、ハウジング602の下側ハウジング部分604内に形成された陥凹部または穴であってもよい。図示されているように、片面開放の閉端PCDドッキングポケット690は、左側壁692、右側壁694、後側壁696、前側壁698、および底面700内に形成された、開放空間、または容積とすることができる。
【００５０】
図10は、片面開放の閉端PCDドッキングポケット690が多ピンコネクタアレイ702を備えることができることを示している。多ピンコネクタアレイ702は、側壁692、694、696、698のうちの1つの中に形成され、そこから(その組み合わせから)延在しうる。図10に例示されているような態様では、多ピンコネクタ702は、片面開放の閉端PCDドッキングポケット690の左側壁692から延在しうる。多ピンコネクタアレイ702は、対応するサイズおよび形状の多ピンコネクタアレイ、例えば、図3に例示されている多ピンコネクタアレイ130、図4に例示されている多ピンコネクタアレイ132、それらの組み合わせ、または当技術分野で知られている他の何らかの種類の多ピンコネクタアレイと取り外し可能なように係合するサイズおよび形状を有するものとすることができる。
【００５１】
図10および図11に示されているように、片面開放の閉端PCDドッキングポケット690は、側壁692、694、696、698のうちの1つの側壁のエッジ上に延在するラッチアセンブリ704を備えることもできる。図10および図11に例示されているような態様では、ラッチアセンブリ704は、片面開放の閉端PCDドッキングポケット690の左側壁692の反対側の片面開放の閉端PCDドッキングポケット690の右側壁694のエッジ上へ延在しうる。ラッチアセンブリ704は、バネ仕掛けであってよく、ハウジング602の下側ハウジング部分604の表面内に摺動可能なように配設されうる。図示されているような態様では、ラッチアセンブリ704は、例えば右の方へ移動し、これにより、PCD、例えば、図1から図4に示されているPCD 100を片面開放の閉端PCDドッキングポケット690内に挿入することができる。その後、解放されると、ラッチアセンブリ704は、反対方向に、例えば、左の方へ移動しうる。その後、ラッチアセンブリ704は、PCDドッキングポケット690内にPCD 100を保持するために、PCD 100の上面と係合することができる。図11は、PCDドッキングステーション600と係合するPCD 100を例示している。
【００５２】
図11に示されているように、PCD 100は、本明細書で説明されているように片面開放の閉端ドッキングポケット690内に取り付けることができる。多ピンコネクタアレイ702の向きに応じて、PCD 100を片面開放の閉端PCDドッキングポケット690内に表を上にして、または表を下にして取り付けることができる。PCD 100がドッキングポケット690内に取り付けられる場合、PCD 100の多ピンコネクタアレイ130は、片面開放の閉端PCDドッキングポケット690内に形成された多ピンコネクタアレイ702と係合しうる。さらに、PCD 100がドッキングポケット690内に表を上にして取り付けられると、PCDドッキングステーション600内のディスプレイ670は1次ディスプレイとして動作し、PCD 100は2次ディスプレイとして動作しうる。
【００５３】
例えば、実行中アプリケーションを1次ディスプレイに表示し、1つまたは複数のコマンドを2次ディスプレイに表示することができる。他の態様では、ビデオモードにおいて、ビデオを1次ディスプレイに表示し、ビデオリストおよび1つまたは複数のビデオコントロールを2次ディスプレイに表示することができる。さらに他の態様では、オーディオプレーヤモードにおいて、アルバムアートを1次ディスプレイに表示し、1つまたは複数のオーディオコントロールを2次ディスプレイに表示することができる。
【００５４】
電話モードでは、連絡先リスト、通話履歴、発信者写真、発信者電話番号、あるいはこれらの組み合わせを1次ディスプレイに表示し、数値キーパッドを2次ディスプレイに表示することができる。着信があると、例えばPCD 100内のアプリケーションマネージャは、2次ディスプレイ上に表示されている現在のアプリケーションから2次ディスプレイ上に表示されている電話アプリケーションに切り替わることができる。着信に対して、PCD 100のドッキングを外すことによってPCD 100を通じて応答することができる。あるいは、例えば、スピーカ680、682およびPCDドッキングステーションに接続されたマイクロホンを通じて、PCDドッキングステーション600を通じて着信に応答することができる。さらに、ヘッドセット、例えば、PCD 100に結合されたBluetoothヘッドセットを通じて、着信に応答することができる。
【００５５】
さらに他の態様における電子メールアプリケーションでは、現在の電子メールを1次ディスプレイに表示し、他の電子メールの一覧を2次ディスプレイに表示することができる。ゲームアプリケーションでは、実行中アプリケーションを1次ディスプレイに表示し、ゲームコントロールを2次ディスプレイに表示することができる。
【００５６】
PCD 100がPCDドッキングステーション600にドッキングされた場合、その組み合わせはモバイルコンピューティングデバイス(MCD)、例えば、ラップトップコンピューティングデバイスである考えられることは理解されうる。さらに、PCD 100とPCDドッキングステーション600との組み合わせは携帯型であり、PCDドッキングステーション600のハウジング602は、PCD 100がPCDドッキングステーション600にドッキングされている間、閉じておくことができる。また、PCDドッキングステーション600は、片面開放の閉端ドッキングポケット690内に、スイッチ、例えば、プッシュボタンスイッチを備えることができる。PCD 100が、片面開放の閉端ドッキングポケット690内に取り付けられている場合、PCD 100はスイッチを閉じ、PCDドッキングステーション600の電源をオンにする、例えば、給電することができる。PCD 100が、片面開放の閉端PCDドッキングポケット690からイジェクトされるか、または他の何らかの方法で取り出されるときに、PCDドッキングステーション600の電源をオフにすることができる。他の態様では、PCD 100を多ピンコネクタアレイ702と単純に係合させることで、PCDドッキングステーション600の電源をオンにすることができる。PCD 100と多ピンコネクタアレイ702との係合を外したときに、PCDドッキングステーション600の電源がオフになるようにすることができる。
【００５７】
次に、図12から図15までを参照すると、PCDドッキングステーションの第2の態様が示され、一般的に1200で表される。一般に、図12から図15に示されているPCDドッキングステーション1200は、図6から図11に関連して説明されているPCDドッキングステーション600と同様にして構成される。しかし、図12から図15に示されているPCDドッキングステーション1200は、片面開放の閉端PCDドッキングポケット690(図10)を備えていない。
【００５８】
図13および図14に例示されているように、PCDドッキングステーション1200は、下側ハウジング部分1204と上側ハウジング部分1206を有するハウジング1202を備えることができる。この態様では、下側ハウジング部分1204は、片面開放の開端PCDドッキングポケット1210を中に形成して備えることができる。片面開放の開端PCDドッキングポケット1210は、対応するサイズおよび形状のPCD、例えば図1から図4に示されているPCD 100を受け入れるサイズおよび形状のものとすることができる。片面開放の開端PCDドッキングポケット1210は、ハウジング1202の下側ハウジング部分1204内に形成された陥凹部または穴であってもよい。図示されているように、片面開放の開端PCDドッキングポケット1210は、左側壁1212、後側壁1214、前側壁1216、および底面1218内に形成された、開放空間、または容積とすることができる。さらに、片面開放の開端PCDドッキングポケット1210は、片側、例えば、右側が開放されており、これにより、PCDを片面開放の開端PCDドッキングポケット1210内に摺入するか、または他の何らかの方法で移動することができる。
【００５９】
図12から図14は、片面開放の開端PCDドッキングポケット1210が多ピンコネクタアレイ1222を備えることができることを示している。多ピンコネクタアレイ1222は、側壁1212、1214、1216のうちの1つの中に形成され、そこから(その組み合わせから)延在しうる。図12から図14に例示されているような態様では、多ピンコネクタ1222は、片面開放の開端PCDドッキングポケット1210の左側壁1212から延在しうる。多ピンコネクタアレイ1222は、対応するサイズおよび形状の多ピンコネクタアレイ、例えば、図3に例示されている多ピンコネクタアレイ130、図4に例示されている多ピンコネクタアレイ132、それらの組み合わせ、または当技術分野で知られている他の何らかの種類の多ピンコネクタアレイと取り外し可能なように係合するサイズおよび形状を有するものとすることができる。
【００６０】
図14および図15に示されているように、PCD、例えば、図1から図4に示されているPCD 100は、片面開放の開端PCDドッキングポケット1210の開放している、右側から片面開放の開端PCDドッキングポケット1210内に摺入しうる。PCDは、PCD上の多ピンコネクタアレイが片面開放の開端PCDドッキングポケット1210内に延入する多ピンコネクタアレイ1222と係合するまで左へ移動されうる。図15に示されているように、片面開放の開端PCDドッキングポケット1210と完全に係合すると、ユーザからPCD内のタッチスクリーンディスプレイにアクセスできるようになる。
【００６１】
多ピンコネクタアレイ1222の向きに応じて、PCD 100を片面開放の開端PCDドッキングポケット1210内に表を上にして、または表を下にして取り付けることができる。PCD 100がドッキングポケット1210内に表を上にして取り付けられると、PCDドッキングステーション1200内のディスプレイは1次ディスプレイとして動作し、PCD 100は2次ディスプレイとして動作しうる。
【００６２】
PCD 100がPCDドッキングステーション1200にドッキングされた場合、その組み合わせはモバイルコンピューティングデバイス(MCD)、例えば、ラップトップコンピューティングデバイスである考えられることは理解されうる。さらに、PCD 100とPCDドッキングステーション1200との組み合わせは携帯型であり、PCDドッキングステーション1200のハウジング1202は、PCD 100がPCDドッキングステーション1200にドッキングされている間、閉じておくことができる。また、PCDドッキングステーション1200は、片面開放の開端PCDドッキングポケット1210内に、スイッチ、例えば、プッシュボタンスイッチを備えることができる。PCD 100が、片面開放の開端ドッキングポケット1210内に取り付けられている場合、PCD 100はスイッチを閉じ、PCDドッキングステーション1200の電源をオンにする、例えば、給電することができる。PCD 100が、片面開放の開端PCDドッキングポケット1210からイジェクトされるか、または他の何らかの方法で取り出されるときに、PCDドッキングステーション1200の電源をオフにすることができる。他の態様では、PCD 100を多ピンコネクタアレイ1222と単純に係合させることで、PCDドッキングステーション1200の電源をオンにすることができる。PCD 100と多ピンコネクタアレイ1222との係合を外したときに、PCDドッキングステーション1200の電源がオフになるようにすることができる。
【００６３】
図16および図17は、一般的に1600で表される、PCDドッキングステーションの第3の態様を例示している。一般に、図16および図17に示されているPCDドッキングステーション1600は、図6から図11に関連して説明されているPCDドッキングステーション600と同様にして構成される。しかし、図16および図17に示されているPCDドッキングステーション1600は、片面開放の閉端PCDドッキングポケット690(図10)を備えていない。
【００６４】
図16および図17に例示されているように、PCDドッキングステーション1600は、下側ハウジング部分1604と上側ハウジング部分1606を有するハウジング1602を備えることができる。この態様では、下側ハウジング部分1604は、片面閉鎖の開端PCDドッキングポケット1610を中に形成して備えることができる。片面閉鎖の開端PCDドッキングポケット1610は、対応するサイズおよび形状のPCD、例えば図1から図4に示されているPCD 100を受け入れるサイズおよび形状のものとすることができる。片面閉鎖の開端PCDドッキングポケット1610は、ハウジング1602の下側ハウジング部分1604内に形成された陥凹部または穴であってもよい。図示されているように、片面閉鎖の開端PCDドッキングポケット1610は、左側壁1612、後側壁1614、前側壁1616、底面1618、および上面1620内に形成された、開放空間、または容積とすることができる。さらに、片面閉鎖の開端PCDドッキングポケット1610は、片側、例えば、右側が開放され、これにより、PCDを片面閉鎖の開端PCDドッキングポケット1610内に摺入するか、または他の何らかの方法で移動することができる。
【００６５】
図16および図17は、片面閉鎖の開端PCDドッキングポケット1610が多ピンコネクタアレイ1622を備えることができることを示している。多ピンコネクタアレイ1622は、側壁1612、1614、1616のうちの1つの中に形成され、そこから(その組み合わせから)延在しうる。図16および図17に例示されているような態様では、多ピンコネクタ1622は、片面閉鎖の開端PCDドッキングポケット1610の左側壁1612から延在しうる。多ピンコネクタアレイ1622は、対応するサイズおよび形状の多ピンコネクタアレイ、例えば、図3に例示されている多ピンコネクタアレイ130、図4に例示されている多ピンコネクタアレイ132、それらの組み合わせ、または当技術分野で知られている他の何らかの種類の多ピンコネクタアレイと取り外し可能なように係合するサイズおよび形状を有するものとすることができる。
【００６６】
図17に示されているように、PCD、例えば、図1から図4に示されているPCD 100は、片面閉鎖の開端PCDドッキングポケット1610の開放している、右側から片面閉鎖の開端PCDドッキングポケット1610内に摺入しうる。PCD 100は、PCD 100上の多ピンコネクタアレイが片面閉鎖の開端PCDドッキングポケット1610内に延入する多ピンコネクタアレイ1622と係合するまで左へ移動されうる。片面閉鎖の開端PCDドッキングポケット1610と完全に係合すると、ユーザからPCD 100にアクセスできなくなる。
【００６７】
図16に示されているように、PCDドッキングステーション1600は、イジェクトボタン1624をさらに備えることができる。イジェクトボタン1624が押されると、PCD 100が、PCDドッキングポケット1610およびPCDドッキングステーション1600からイジェクトされ、ユーザによって出せるようになる。多ピンコネクタアレイ1622の向きに応じて、PCD 100を片面閉鎖の開端PCDドッキングポケット1610内に表を上にして、または表を下にして取り付けることができる。PCD 100がドッキングポケット1610内に取り付けられる場合、PCD 100の多ピンコネクタアレイ130は、片面閉鎖の開端PCDドッキングポケット1610内に形成された多ピンコネクタアレイ1622と係合しうる。
【００６８】
PCD 100がPCDドッキングステーション1600にドッキングされた場合、その組み合わせはモバイルコンピューティングデバイス(MCD)、例えば、ラップトップコンピューティングデバイスである考えられることは理解されうる。さらに、PCD 100とPCDドッキングステーション1600との組み合わせは携帯型であり、PCDドッキングステーション1600のハウジング1602は、PCD 100がPCDドッキングステーション1600にドッキングされている間、閉じておくことができる。また、PCDドッキングステーション1600は、片面閉鎖の開端ドッキングポケット1610内に、スイッチ、例えば、プッシュボタンスイッチを備えることができる。PCD 100が、片面閉鎖の開端ドッキングポケット1610内に取り付けられている場合、PCD 100はスイッチを閉じ、PCDドッキングステーション1600の電源をオンにする、例えば、給電することができる。PCD 100が、片面閉鎖の開端PCDドッキングポケット1610からイジェクトされるか、または他の何らかの方法で取り出されるときに、PCDドッキングステーション1600の電源をオフにすることができる。他の態様では、PCD 100を多ピンコネクタアレイ1622と単純に係合させることで、PCDドッキングステーション1600の電源をオンにすることができる。PCD 100と多ピンコネクタアレイ1622との係合を外したときに、PCDドッキングステーション1600の電源がオフになるようにすることができる。
【００６９】
図18から図22までを参照すると、PCDドッキングステーションの第4の態様が示され、一般的に1800で表される。一般に、図18から図22に示されているPCDドッキングステーション1800は、図6から図11に関連して説明されているPCDドッキングステーション600と同様にして構成される。しかし、図18から図22に示されているPCDドッキングステーション1800は、片面開放の閉端PCDドッキングポケット690(図10)を備えていない。
【００７０】
図18から図22に例示されているように、PCDドッキングステーション1800は、下側ハウジング部分1804と上側ハウジング部分1806を有するハウジング1802を備えることができる。この態様では、下側ハウジング部分1804は、そこから伸展するPCDドッキングトレイ1810を備えることができる。特に、PCDドッキングトレイ1810は、PCDドッキングステーション1800の下側ハウジング部分1804と摺動可能なように係合しうる。PCDドッキングトレイ1810は、下側ハウジング部分1804の側部、例えば、左側、右側、または前側から伸展しうる。特定の一態様では、図示されているように、PCDドッキングトレイ1810は、PCDドッキングステーション1800の下側ハウジング部分1804の右側から外向きに伸展しうる。さらに、PCDドッキングトレイ1810は、PCDドッキングトレイ1810がPCDドッキングステーション1800から伸展された、開放位置、または伸展位置とPCDがPCDドッキングステーション1800内に引っ込められた、閉鎖位置、または引き込み位置との間で移動可能であるものとしてよい。
【００７１】
PCDドッキングトレイ1810は、近位端1814および遠位端1816を有する一般的に平坦な、一般的に矩形の支持板1812を備えることができる。面板1818を、支持板1812の遠位端1816に取り付けることができるか、またはそれにより形成することができる。図示されているように、特定の一態様では、面板1818は、支持板1812に垂直であるものとしてよい。図19および図20は、PCDドッキングトレイ1810が中央開口部1820とともに形成されうることをさらに示している。特定の一態様では、中央開口部1820は、一般的に矩形であり、中央開口部1820の長軸が支持板1812の近位端1814および遠位端1816に実質的に平行になるように配向されうる。
【００７２】
図示されているように、PCDドッキングトレイ1810は、支持板1812内に形成される中央開口部1820内に嵌入するようなサイズおよび形状である支持アーム1822も備えることができる。支持アーム1822は、一般的に矩形であり、近位端1824および遠位端1826を備えることができる。支持アーム1822の近位端1824は、支持アーム1822の近位端1824を通り、支持アーム1822の傍らにある中央開口部1820のそれぞれの側の支持板1812内に入るロッドまたはピン(図示せず)を介して支持板1812に接続されうる。
【００７３】
さらに、図示されているように、支持板1812は、中央開口部1820と支持アーム1822に隣接する多ピンコネクタアレイ1828を備えることができる。特定の一態様では、多ピンコネクタアレイ1828は、支持アーム1822の近位端1824に隣接して配置されうる。多ピンコネクタアレイ1828は、PCD上の対応するサイズおよび形状の多ピンコネクタアレイ、例えば、図3に例示されている多ピンコネクタアレイ130、図4に例示されている多ピンコネクタアレイ132、それらの組み合わせ、または当技術分野で知られている他の何らかの種類の多ピンコネクタアレイと取り外し可能なように係合するサイズおよび形状を有するものとすることができる。
【００７４】
特定の一態様では、PCDドッキングトレイ1810は、PCDドッキングトレイ1810がハウジング1802内から完全に伸展した、図19に示されている、開放位置とPCDドッキングトレイ1810がハウジング1802内に引っ込められた、閉鎖位置との間で移動可能である。閉鎖位置では、PCDドッキングトレイ1810の面板1818は、ハウジング1802の側面と同一平面上にあるものとしてよい。
【００７５】
さらに、特定の一態様では、支持アーム1822は、第1の位置と第2の位置との間の支持板1812の中央開口部1820内で枢動しうる。支持アーム1822が支持板1812の中央開口部1820内に嵌入し、支持アーム1822が支持板1812と同一平面上にある、つまり、支持アーム1822の上面が支持板1812の上面と同じ高さである、図19にされている第1の位置では、支持板1822の下面は、支持板1812の下面または、これらの組み合わせと同じ高さである。
【００７６】
第2の位置では、支持アーム1822は、支持板1812に関してある角度をなすものとしてよい。特定の一態様では、支持アーム1822、支持板1812、あるいはこれらの組み合わせは、支持アーム1822を第2の位置に保持するために戻り止め(図示せず)、バネ(図示せず)、または他の類似のメカニズムを備えることができる。支持アーム1822の遠位端1826に圧力を加えることによって、戻り止め、またはバネの力に打ち勝ち、支持アーム1822を第1の位置に戻すことができる。
【００７７】
図21および図22に示されているように、第2の位置では、PCD、例えば、図1から図4に示されているPCD 100は、支持アーム1822上に据え付けることができ、PCD 100上の多ピンコネクタアレイが、PCDドッキングトレイ1810上の多ピンコネクタアレイ1828と係合することができる。支持アーム1822は、PCD 100およびPCDドッキングステーション1800の動作中にPCD 100を見やすくする角度にPCD 100を支持することができる。
【００７８】
特定の一態様では、図18に示されているように、PCDドッキングステーション1800は、イジェクトボタン1830をさらに備えることができる。イジェクトボタン1830は、PCDドッキングトレイ1810内に組み込むことができる。あるいは、イジェクトボタン1830をPCDドッキングトレイ1810に隣接するPCDドッキングステーション1800内に組み込むことができる。イジェクトボタン1830が押されると、PCDドッキングトレイ1810が閉鎖位置から開放位置に移動されうる。開放位置では、PCD 100は、PCDドッキングトレイ1810とドッキングされ、PCDドッキングトレイ1810によって支持されうる。
【００７９】
PCD 100がPCDドッキングトレイ1810内に係合すると、PCDドッキングステーション1800内のディスプレイは1次ディスプレイとして動作し、PCD 100は2次ディスプレイとして動作しうる。
【００８０】
PCD 100がPCDドッキングステーション1800にドッキングされた場合、その組み合わせはモバイルコンピューティングデバイス(MCD)、例えば、ラップトップコンピューティングデバイスである考えられることは理解されうる。さらに、PCD 100とPCDドッキングステーション1800の組み合わせは携帯型である。
【００８１】
図23から図25までを参照すると、PCDドッキングステーションの第5の態様が示され、一般的に2300で表される。一般に、図23から図25に示されているPCDドッキングステーション2300は、図6から図11に関連して説明されているPCDドッキングステーション600と同様にして構成される。しかし、図23から図25に示されているPCDドッキングステーション2300は、片面開放の閉端PCDドッキングポケット690(図10)を備えていない。
【００８２】
図23から図25に例示されているように、PCDドッキングステーション2300は、下側ハウジング部分2304と上側ハウジング部分2306を有するハウジング2302を備えることができる。この態様では、上側ハウジング部分2306は、そこから伸展するPCDドッキングトレイ2310を備えることができる。特に、PCDドッキングトレイ2310は、PCDドッキングステーション2300の上側ハウジング部分2306と摺動可能なように係合しうる。PCDドッキングトレイ2310は、上側ハウジング部分2306の側部、例えば、左側、右側、または前側(つまり、上側ハウジング部分2306が開いているときに上側)から伸展しうる。特定の一態様では、図示されているように、PCDドッキングトレイ2310は、PCDドッキングステーション2300の上側ハウジング部分2306の右側から外向きに伸展しうる。
【００８３】
PCDドッキングトレイ2310は、近位端2314および遠位端2316を有する一般的に平坦な、一般的に矩形の支持板2312を備えることができる。面板2318を、支持板2312の遠位端2316に取り付けることができるか、またはそれにより形成することができる。特定の一態様では、面板2318は、支持板2312に垂直であるものとしてよい。図24および図25は、PCDドッキングトレイ2310が支持板2312の底縁にそって形成された支持リップ2320を備えうることをさらに示している。特定の一態様では、支持リップ2320は、一般的に「L字形」であり、支持リップ2320と支持板2312との間にポケットを形成することができ、使用時にこの中にPCDの端部が嵌合して静止することができる。
【００８４】
さらに、図23に示されているように、PCDドッキングステーション2302の上側ハウジング部分2306は、PCDドッキングトレイ2310に隣接して多ピンコネクタアレイ2328を備えることができる。特定の一態様では、多ピンコネクタアレイ2328は、支持板2312の近位端2314に隣接して配置されうる。多ピンコネクタアレイ2328は、PCD上の対応するサイズおよび形状の多ピンコネクタアレイ、例えば、図3に例示されている多ピンコネクタアレイ130、図4に例示されている多ピンコネクタアレイ132、それらの組み合わせ、または当技術分野で知られている他の何らかの種類の多ピンコネクタアレイと取り外し可能なように係合するサイズおよび形状を有するものとすることができる。
【００８５】
特定の一態様では、PCDドッキングトレイ2310は、PCDドッキングトレイ2310がハウジング2302、例えば、上側ハウジング部分2306内から完全に伸展した、図24に示されている、開放位置、または伸展位置とPCDドッキングトレイ2310がハウジング2302、例えば、上側ハウジング部分2306内に引っ込められた、閉鎖位置、または引き込み位置との間で移動可能である。引き込み位置では、PCDドッキングトレイ2310の面板2318は、上側ハウジング部分2306の側面と同一平面上にあるものとしてよい。
【００８６】
伸展位置では、図25に示されているように、PCD 100は、PCDドッキングトレイ2310上に載り、PCD 100上の多ピンコネクタアレイは、上側ハウジング部分2306上の多ピンコネクタアレイ2328と係合することができる。PCDドッキングトレイ2310は、PCD 100およびPCDドッキングステーション2300の動作中にPCD 100が見やすくなるように上側ハウジング部分2306が下側ハウジング部分2304に対し相対的な位置をとるのと同じ角度にPCD 100を支持することができる。
【００８７】
特定の一態様では、図23に示されているように、PCDドッキングステーション2300は、イジェクトボタン2330をさらに備えることができる。イジェクトボタン2330をPCDドッキングトレイ2310に隣接するPCDドッキングステーション2300内に組み込むことができる。あるいは、イジェクトボタン2330は、PCDドッキングトレイ2310内に組み込むこともできる。イジェクトボタン2330が押されると、PCDドッキングトレイ2310が閉鎖位置から開放位置に移動されうる。開放位置では、PCD 100は、PCDドッキングトレイ2310とドッキングされ、PCDドッキングトレイ2310によって支持されうる。
【００８８】
PCD 100がPCDドッキングトレイ2310内に係合すると、PCDドッキングステーション2300内のディスプレイは1次ディスプレイとして動作し、PCD 100は2次ディスプレイとして動作しうる。
【００８９】
PCD 100がPCDドッキングステーション2300にドッキングされた場合、その組み合わせはモバイルコンピューティングデバイス(MCD)、例えば、ラップトップコンピューティングデバイスである考えられることは理解されうる。さらに、PCD 100とPCDドッキングステーション2300の組み合わせは携帯型である。
【００９０】
次に、図26および図27を参照すると、PCDドッキングステーションの第6の態様が示され、一般的に2600で表される。一般に、図26および図27に示されているPCDドッキングステーション2600は、図6から図11に関連して説明されているPCDドッキングステーション600と同様にして構成される。しかし、図26および図27に示されているPCDドッキングステーション2600は、タッチパッドマウス674、第1のマウスボタン676、第2のマウスボタン678、あるいはこれらの組み合わせを備えていない。
【００９１】
図26および図27に例示されているように、PCDドッキングステーション2600は、下側ハウジング部分2604と上側ハウジング部分2606を有するハウジング2602を備えることができる。ハウジング2602の下側ハウジング部分2604は、その表面内に形成された片面開放の閉端PCDドッキングポケット2610を備えることができる。この態様では、片面開放の閉端PCDドッキングポケット2610は、対応するサイズおよび形状のPCD、例えば図1から図4に示されているPCD 100を受け入れるサイズおよび形状のものとすることができる。
【００９２】
特定の一態様では、片面開放の閉端PCDドッキングポケット2610は、ハウジング2602の下側ハウジング部分2604内に形成された陥凹部または穴であってもよい。図示されているように、片面開放の閉端PCDドッキングポケット2610は、左側壁2612、右側壁2614、後側壁2616、前側壁2618、および底面2620内に形成された、開放空間、または容積とすることができる。
【００９３】
図26は、片面開放の閉端PCDドッキングポケット2610が多ピンコネクタアレイ2622を備えることができることを示している。多ピンコネクタアレイ2622は、側壁2612、2614、2616、2618のうちの1つの中に形成され、そこから(その組み合わせから)延在しうる。図26に例示されているような態様では、多ピンコネクタ2622は、片面開放の閉端PCDドッキングポケット2610の左側壁2612から延在しうる。多ピンコネクタアレイ2622は、対応するサイズおよび形状の多ピンコネクタアレイ、例えば、図3に例示されている多ピンコネクタアレイ130、図4に例示されている多ピンコネクタアレイ132、それらの組み合わせ、または当技術分野で知られている他の何らかの種類の多ピンコネクタアレイと取り外し可能なように係合するサイズおよび形状を有するものとすることができる。
【００９４】
図26および図27に示されているように、片面開放の閉端PCDドッキングポケット2610は、側壁2612、2614、2616、2618のうちの1つの側壁のエッジ上に延在するラッチアセンブリ2624を備えることもできる。図26および図27に例示されているような態様では、ラッチアセンブリ2624は、片面開放の閉端PCDドッキングポケット2610の左側壁2612の反対側の片面開放の閉端PCDドッキングポケット2610の右側壁2614のエッジ上に延在しうる。ラッチアセンブリ2624は、バネ仕掛けであってよく、ハウジング2602の下側ハウジング部分2604の表面内に摺動可能なように配設されうる。図示されているような態様では、ラッチアセンブリ2624は、例えば右の方へ移動し、これにより、PCD、例えば、図1から図4に示されているPCD 100を片面開放の閉端PCDドッキングポケット2610内に挿入することができる。その後、解放されると、ラッチアセンブリ2624は、反対方向に、例えば、左の方へ移動しうる。その後、ラッチアセンブリ2624は、PCDドッキングポケット2610内にPCD 100を保持するために、PCD 100の上面と係合することができる。図27は、PCDドッキングステーション2600と係合するPCD 100を例示している。
【００９５】
図示されているように、PCD 100は、本明細書で説明されているように片面開放の閉端ドッキングポケット2610内に取り付けることができる。PCD 100がドッキングポケット2610内に取り付けられる場合、PCD 100の多ピンコネクタアレイ130は、片面開放の閉端ドッキングポケット2610内に形成された多ピンコネクタアレイ2622と係合しうる。
【００９６】
特定の一態様では、PCD 100がPCDドッキングステーション2600とドッキングされると、PCD 100を補助ディスプレイとして使用できるようになる。さらに、PCD 100は、入力デバイスとして使用することができ、例えば、PCD 100は、マウスパッドとして使用され、第1のマウスボタンと第2のマウスボタンとを備えるものとしてよい。また、PCD 100は、補助ディスプレイとして、また対応するマウスボタンを有するマウスパッドとして使用することができる。
【００９７】
PCD 100がPCDドッキングステーション2600にドッキングされた場合、その組み合わせはモバイルコンピューティングデバイス(MCD)、例えば、ラップトップコンピューティングデバイスである考えられることは理解されうる。さらに、PCD 100とPCDドッキングステーション2600との組み合わせは携帯型であり、PCDドッキングステーション2600のハウジング2602は、PCD 100がPCDドッキングステーション2600にドッキングされている間、閉じておくことができる。また、PCDドッキングステーション2600は、片面開放の閉端PCDドッキングポケット2610内に、スイッチ、例えば、プッシュボタンスイッチを備えることができる。PCD 100が、片面開放の閉端PCDドッキングポケット2610内に取り付けられている場合、PCD 100はスイッチを閉じ、PCDドッキングステーション2600の電源をオンにする、例えば、給電することができる。PCD 100が、片面開放の閉端PCDドッキングポケット2610からイジェクトされるか、または他の何らかの方法で取り出されるときに、PCDドッキングステーション2600の電源をオフにすることができる。他の態様では、PCD 100を多ピンコネクタアレイ2622と単純に係合させることで、PCDドッキングステーション2600の電源をオンにすることができる。PCD 100と多ピンコネクタアレイ2622との係合を外したときに、PCDドッキングステーション2600の電源がオフになるようにすることができる。
【００９８】
図28は、一般的に2800で表されている、PCDシステムの第1の態様を示している。図示されているように、PCDシステム2800は、PCD 2802およびPCDドッキングステーション2804を備えることができる。特定の一態様では、PCD 2802は、ドックコネクタ2806を介してPCDドッキングステーション2804と取り外し可能なように係合されうる。ドックコネクタ2806は、PCD 2802内の1つまたは複数のコンポーネントとPCDドッキングステーション2804内の1つまたは複数のコンポーネントとを電子的に接続する機能を持つものとしてよい。それに加えて、ドックコネクタ2806は、多ピンドックコネクタ2806であってもよい。さらに、ドックコネクタ2806は、本明細書で説明されている多ピンコネクタアレイのうちの1つとすることができる。
【００９９】
図28に示されているように、PCD 2802は、PCD電子コンポーネントを備えうるPCB(プリント基板)2808を具備することができる。PCD電子コンポーネントは、SOC(システムオンチップ)またはPCD 2802を制御するために電子コンポーネントを集積化し接続している他の何らかの適切なデバイスとしてパッケージされうる。PCB 2808は、図5に関して説明されているコンポーネントのうちの1つまたは複数を備えることができる。バッテリ2810をPCB 2808に結合することができる。
【０１００】
図28は、PCDドッキングステーション2804が、ドックコネクタ2806に接続されているバッテリ2820を備えることができることを示している。パワーマネージメントモジュール2822をバッテリ2820に接続することができる。さらに、AC(交流)電源接続端子2824をパワーマネージメントモジュール2822に接続することができる。AC電源接続端子2824をAC電源(図示せず)に接続することができる。
【０１０１】
図28は、第1のUSB-HS(Universal Serial Bus-High Speed)ポート2838をドッグコネクタ2806に接続できることをさらに示している。第1のUSBコネクタ2840を第1のUSB-HSポート2838に接続することができる。図28に示されているように、PCDドッキングステーション2804は、第2のUSB-HSポート2848も備えることができる。第2のUSB-HSポート2848には、キーボード2856を接続することができる。特に、キーボード2856は、キーボード/タッチパッドの組み合わせとすることもできる。
【０１０２】
図28は、PCDドッキングステーション2804が、ドックコネクタ2806に接続されているディスプレイ2860も備えることができることを示している。図示されているように、ドックコネクタ2806は、アース接続端子2868にさらに接続されうる。
【０１０３】
特定の一態様では、ドックコネクタ2806は、44本のピンを備えることができる。例えば、ドラッグコネクタ2806は、バッテリ2820用に8本のピン、第1のUSB-HSポート2838用に4本のピン、第2のUSB-HSポート2848用に4本のピン、ディスプレイ2860用に20本のピン、アース接続端子2868用に8本のピンを備えることができる。
【０１０４】
図29を参照すると、PCDシステムの第2の態様が示され、一般的に2900で表される。図示されているように、PCDシステム2900は、PCD 2902およびPCDドッキングステーション2904を備えることができる。特定の一態様では、PCD 2902は、ドックコネクタ2906を介してPCDドッキングステーション2904と取り外し可能なように係合されうる。ドックコネクタ2906は、PCD 2902内の1つまたは複数のコンポーネントとPCDドッキングステーション2904内の1つまたは複数のコンポーネントとを電子的に接続する機能を持つものとしてよい。
【０１０５】
図29に示されているように、PCD 2902は、PCD電子コンポーネントを備えうるPCB(プリント基板)2908を具備することができる。PCD電子コンポーネントは、SOC(システムオンチップ)またはPCD 2802を制御するために電子コンポーネントを集積化し接続している他の何らかの適切なデバイスとしてパッケージされうる。さらに、PCB 2908は、図5に関して説明されているコンポーネントのうちの1つまたは複数を備えることができる。バッテリ2910をPCB 2908に結合することができる。
【０１０６】
図29は、PCDドッキングステーション2904が、ドックコネクタ2906に接続されているバッテリ2920を備えることができることを示している。パワーマネージメントモジュール2922をバッテリ2920に接続することができる。さらに、AC(交流)電源接続端子2924をパワーマネージメントモジュール2922に接続することができる。AC電源接続端子2924をAC電源(図示せず)に接続することができる。オーディオI/O(入出力)2926をドックコネクタ2906に接続することができ、1つまたは複数のスピーカ2928をオーディオI/O 2926に接続することができる。
【０１０７】
図示されているように、GbE MAC(Gigabit Ethernet(登録商標) Media Access Controller、ギガビットイーサネット(登録商標)メディアアクセスコントローラ)2934も、ドックコネクタ2906に接続することができる。イーサネット(登録商標)ポート2936は、GbE MAC 2934に接続することができる。特定の一態様において、イーサネット(登録商標)ポート2936は、RJ45ジャックとすることができる。
【０１０８】
図29は、第1のUSB-HS(Universal Serial Bus-High Speed)ポート2938をドッグコネクタ2906に接続できることをさらに示している。第1のUSBコネクタ2942を第1のUSB-HSポート2938に接続することができる。図29に示されているように、PCDドッキングステーション2904は、第2のUSB-HSポート2948も備えることができる。第2のUSBコネクタ2950を第2のUSB-HSポート2948に接続することができる。さらに、図示されているように、第3のUSB-HSポート2954をドックコネクタ2906に接続することができる。第3のUSB-HSポート2954には、キーボード2956を接続することができる。特に、キーボード2956は、キーボード/タッチパッドの組み合わせとすることもできる。
【０１０９】
図29は、PCDドッキングステーション2904がディスプレイ2960も備えることができることを示している。それに加えて、PCDドッキングステーション2904は、ドックコネクタ2906に結合されているRGB(A)コネクタ2962を備えることができる。D-subコネクタ2964をRGB(A)コネクタ2962に接続することができる。図示されているように、ドックコネクタ2906は、アース接続端子2968に接続されうる。
【０１１０】
特定の一態様では、ドックコネクタ2906は、119本のピンを備えることができる。例えば、ドックコネクタ2906は、バッテリ2920用に10本のピン、オーディオI/O 2926用に3本のピン、GbE MAC 2934用に36本のピン、第1のUSB-HSポート2938用に4本のピン、第2のUSB-HSポート2948用に4本のピン、第3のUSB-HSポート2954用に4本のピン、ディスプレイ2960用に20本のピン、RGB(A)コネクタ用に28本のピン、アース接続端子2968用に10本のピンを備えることができる。
【０１１１】
図30は、一般的に3000で表されている、PCDシステムの第3の態様を示している。図示されているように、PCDシステム3000は、PCD 3002およびPCDドッキングステーション3004を備えることができる。特定の一態様では、PCD 3002は、ドックコネクタ3006を介してPCDドッキングステーション3004と取り外し可能なように係合されうる。ドックコネクタ3006は、PCD 3002内の1つまたは複数のコンポーネントとPCDドッキングステーション3004内の1つまたは複数のコンポーネントとを電子的に接続する機能を持つものとしてよい。
【０１１２】
図30に示されているように、PCD 3002は、PCD電子コンポーネントを備えうるPCB(プリント基板)3008を具備することができる。PCD電子コンポーネントは、SOC(システムオンチップ)またはPCD 3002を制御するために電子コンポーネントを集積化し接続している他の何らかの適切なデバイスとしてパッケージされうる。さらに、PCB 3008は、図5に関して説明されているコンポーネントのうちの1つまたは複数を備えることができる。バッテリ3010をPCB 3008に結合することができる。
【０１１３】
図30は、PCDドッキングステーション3004が、ドックコネクタ3006に接続されているバッテリ3020を備えることができることを示している。パワーマネージメントモジュール3022をバッテリ3020に接続することができる。さらに、AC(交流)電源接続端子3024をパワーマネージメントモジュール3022に接続することができる。AC電源接続端子3024をAC電源(図示せず)に接続することができる。オーディオI/O(入出力)3026をドックコネクタ3006に接続することができ、1つまたは複数のスピーカ3028をオーディオI/O 3026に接続することができる。
【０１１４】
図30にさらに例示されているように、MDDI(モバイルディスプレイデジタルインターフェイス)3030をドックコネクタ3006に接続することができる。カメラ3032をMDDI 3030に接続することができる。さらに、GbE MAC(Gigabit Ethernet(登録商標) Media Access Controller)3034も、ドックコネクタに接続することができる。イーサネット(登録商標)ポート3036は、GbE MAC 3034に接続することができる。特定の一態様において、イーサネット(登録商標)ポート3036は、RJ45ジャックとすることができる。
【０１１５】
図30は、第1のUSB-HS(Universal Serial Bus-High Speed)ポート3038をドックコネクタ3006に接続できることをさらに示している。USBハブ3040を第1のUSB-HSポート3038に接続することができる。第1のUSBコネクタ3042および第2のUSBコネクタ3044をUSBハブ3040に接続することができる。それに加えて、キーボード3046をUSBハブ3040に結合することができる。特に、キーボード3046は、キーボード/タッチパッドの組み合わせとすることもできる。
【０１１６】
図30に示されているように、PCDドッキングステーション3004は、第2のUSB-HSポート3048も備えることができる。第1のSATA(Serial Advanced Technology Attachment)-USB変換器3050を第2のUSB-HSポート3048に接続することができる。DVD(デジタルビデオディスク)ドライブ3052を第1のSATA-USB変換器3050に接続することができる。さらに、PCDドッキングステーション3004は、第3のUSB-HSポート3054を備えることができる。第2のSATA-USBコンバータ3056は第3のUSB-HSポート3054に接続され、ハードディスクドライブ(HDD)3058は、第3のUSB-HSポート3054に接続されうる。
【０１１７】
図30は、PCDドッキングステーション3004がディスプレイ3060も備えることができることを示している。それに加えて、PCDドッキングステーション3004は、ドックコネクタ3006に結合されているRGB(A)コネクタ3062を備えることができる。D-subコネクタ3064をRGB(A)コネクタ3062に接続することができる。図示されているように、ドックコネクタ3006は、アース接続端子3068に接続されうる。
【０１１８】
特定の一態様では、ドックコネクタ3006は、127本のピンを備えることができる。例えば、ドックコネクタ3006は、バッテリ3020用に10本のピン、オーディオI/O 3026用に5本のピン、MDDI 3030用に6本のピン、GbE MAC 3034用に36本のピン、第1のUSB-HSポート3038用に4本のピン、第2のUSB-HSポート3048用に4本のピン、第3のUSB-HSポート3054用に4本のピン、ディスプレイ3060用に20本のピン、RGB(A)コネクタ3062用に28本のピン、アース接続端子3068用に10本のピンを備えることができる。ドックコネクタ3006は、第2のUSB-HSポート3048に接続されているSATA 3050用の追加の3本のピンを備えることもできる。
【０１１９】
次に図31を参照すると、PCDシステムの第4の態様が示され、一般的に3100で表される。図示されているように、PCDシステム3100は、PCD 3102およびPCDドッキングステーション3104を備えることができる。特定の一態様では、PCD 3102は、ドックコネクタ3106を介してPCDドッキングステーション3104と取り外し可能なように係合されうる。ドックコネクタ3106は、PCD 3102内の1つまたは複数のコンポーネントとPCDドッキングステーション3104内の1つまたは複数のコンポーネントとを電子的に接続する機能を持つものとしてよい。
【０１２０】
図31に示されているように、PCD 3102は、PCD電子コンポーネントを備えうるPCB(プリント基板)3108を具備することができる。PCD電子コンポーネントは、SOC(システムオンチップ)またはPCD 3102を制御するために電子コンポーネントを集積化し接続している他の何らかの適切なデバイスとしてパッケージされうる。さらに、PCB 3108は、図5に関して説明されているコンポーネントのうちの1つまたは複数を備えることができる。バッテリ3110をPCB 3108に結合することができる。
【０１２１】
図31は、PCDドッキングステーション3104が、ドックコネクタ3106に接続されているバッテリ3120を備えることができることを示している。パワーマネージメントモジュール3122をバッテリ3120に接続することができる。さらに、AC(交流)電源接続端子3124をパワーマネージメントモジュール3122に接続することができる。AC電源接続端子3124をAC電源(図示せず)に接続することができる。オーディオI/O(入出力)3126をドックコネクタ3106に接続することができ、1つまたは複数のスピーカ3128をオーディオI/O 3126に接続することができる。
【０１２２】
図31にさらに例示されているように、MDDI(モバイルディスプレイデジタルインターフェイス)3130をドックコネクタ3106に接続することができる。カメラ3132をMDDI 3130に接続することができる。さらに、GbE MAC(Gigabit Ethernet(登録商標) Media Access Controller)3134も、ドックコネクタに接続することができる。イーサネット(登録商標)ポート3136は、GbE MAC 3134に接続することができる。特定の一態様において、イーサネット(登録商標)ポート3136は、RJ45ジャックとすることができる。
【０１２３】
図31は、第1のUSB-HS(Universal Serial Bus-High Speed)ポート3138をドックコネクタ3106に接続できることをさらに示している。USBハブ3140を第1のUSB-HSポート3138に接続することができる。第1のUSBコネクタ3142および第2のUSBコネクタ3144をUSBハブ3140に接続することができる。それに加えて、キーボード3146をUSBハブ3140に結合することができる。特に、キーボード3146は、キーボード/タッチパッドの組み合わせとすることもできる。
【０１２４】
図31に示されているように、PCDドッキングステーション3104は、第2のUSB-HSポート3148も備えることができる。第1のSATA(Serial Advanced Technology Attachment)-USB変換器3150を第2のUSB-HSポート3148に接続することができる。DVD(デジタルビデオディスク)ドライブ3152を第1のSATA-USB変換器3150に接続することができる。さらに、PCDドッキングステーション3104は、第3のUSB-HSポート3154を備えることができる。第2のSATA-USBコンバータ3156は第3のUSB-HSポート3154に接続され、ハードディスクドライブ(HDD)3158は、第3のUSB-HSポート3154に接続されうる。
【０１２５】
図31は、PCDドッキングステーション3104がディスプレイ3160も備えることができることを示している。それに加えて、PCDドッキングステーション3104は、ドックコネクタ3106に結合されているRGB(A)コネクタ3162を備えることができる。D-subコネクタ3164をRGB(A)コネクタ3162に接続することができる。HDMI(High-Definition Multimedia Interface)3166もドックコネクタ3106に接続することができる。図示されているように、ドックコネクタ3106は、アース接続端子3168に接続されうる。
【０１２６】
特定の一態様では、ドックコネクタ3106は、146本のピンを備えることができる。例えば、ドックコネクタ3106は、バッテリ3120用に10本のピン、オーディオI/O 3126用に5本のピン、MDDI 3130用に6本のピン、GbE MAC 3134用に36本のピン、第1のUSB-HSポート3138用に4本のピン、第2のUSB-HSポート3148用に4本のピン、第3のUSB-HSポート3154用に4本のピン、ディスプレイ3160用に20本のピン、RGB(A)コネクタ3162用に28本のピン、HDMI 3166用に19本のピン、アース接続端子3168用に10本のピンを備えることができる。ドックコネクタ3106は、第2のUSB-HSポート3148に接続されているSATA 3150用の追加の3本のピンを備えることもできる。
【０１２７】
図32を参照すると、PCDプロセッサシステムが示され、一般的に3200で表される。図示されているように、PCDプロセッサシステム3200は、第1のコアプロセッサ3202、第2のコアプロセッサ3204、第3のコアプロセッサ3206、および第4のコアプロセッサ3208を備えることができる。さらに、PCDプロセッサシステム3200は、32ビットプロセッサ3210、例えば、ARM 11プロセッサを備えることができる。
【０１２８】
図示されているように、1つまたは複数のハードウェア周辺機器3212を第1のコアプロセッサ3202、第2のコアプロセッサ3204、第3のコアプロセッサ3206、第4のコアプロセッサ3208、32ビットプロセッサ3210、あるいはこれらの組み合わせに接続することができる。特定の一態様では、プロセスモニタおよびロードレベラ3214を第1のコアプロセッサ3202、第2のコアプロセッサ3204、第3のコアプロセッサ3206、および第4のコアプロセッサ3208に接続することができる。本明細書で説明されているように、プロセスモニタおよびロードレベラ3214は、動作要件、PCDがドッキングされているかどうか、PCDがドッキングを外されているかどうか、あるいはこれらの組み合わせに応じて、コアプロセッサ3202、3204、3206、3208をオン、オフするプロセッサマネージャとして動作することができる。プロセッサモニタおよびロードレベラ3214は、本明細書で説明されている方法ステップの1つまたは複数を実行するための手段として動作することができる。
【０１２９】
図32は、第1のプロセス3216および第2のプロセス3218が32ビットプロセッサ3210によって実行されうることをさらに示している。第3のプロセス3220、第4のプロセス3222、第5のプロセス3224、第6のプロセス3226、第7のプロセス3228、および第Nのプロセス3230は、プロセスモニタおよびロードレベラ3214を介して、第1のコアプロセッサ3202、第2のコアプロセッサ3204、第3のコアプロセッサ3206、第4のコアプロセッサ3208、あるいはこれらの組み合わせによって実行されうる。
【０１３０】
PCDプロセッサシステム3200は、第1のプロセス3216および第2のプロセス3218の上で動作することが可能なモデムRTOS(リアルタイムオペレーティングシステム)3232をさらに備えることができる。アプリケーションRTOS 3234は、第3のプロセス3220、第4のプロセス3222、第5のプロセス3224、第6のプロセス3226、第7のプロセス3228、および第Nのプロセス3230の上で動作しうる。特定の一態様において、アプリケーションRTOSは、Linux(商標)によって提供されるRTOSとすることができる。モデムRTOS 3232およびアプリケーションRTOS 3234によって、複数のアプリケーション3236を実行することができる。
【０１３１】
図33を参照すると、PCDおよびPCDドッキングステーションの間で電力分配を管理する方法が示されており、一般的にこの方法全体が3300で表される。ブロック3301から開始し、doループに入り、そこで、PCDがPCDドッキングステーションとドッキングしたときに、以下のステップを実行することができる。決定ステップ3302で、パワーマネージメントモジュールは、PCDの電源がオンになっているかどうかを判定することができる。オンになっている場合、この方法はブロック3303に進むことができ、PCDドッキングステーションは、例えばパワーマネージメントモジュールにより電源が入れられうる。オンになっていない場合、この方法はブロック3304に進むことができ、PCDおよびPCDドッキングステーションは、例えばパワーマネージメントモジュールにより電源が入れられうる。この方法は、ブロック3303および3304からブロック3305に進むことができる。
【０１３２】
ブロック3305で、PCDの電源がPCDのバッテリからPCDドッキングステーションのバッテリに切り替えられうる。ブロック3306で、PCDドッキングステーションおよびPCDは、PCDドッキングステーションのバッテリから電力供給されうる。さらに、ブロック3308で、PCDバッテリ電力が測定されうる(例えば、PCDのバッテリの残存バッテリ電力が測定されうる)。
【０１３３】
決定ステップ3310に進むと、パワーマネージメントモジュールは、PCDのバッテリの電力が充電条件に匹敵するかどうかを判定することができる。例えば、パワーマネージメントモジュールは、バッテリの余命が所定値(例えば、PCDのバッテリの総寿命の1パーセント(%))未満かどうかを判定することができる。また、パワーマネージメントモジュールはPCDの中のプロセッサに常駐させこともできる。
【０１３４】
方法3300の説明に戻り、PCDのバッテリの電力が充電条件に匹敵する場合、方法3300はブロック3312に進むことができ、PCDのバッテリはPCDドッキングステーションのバッテリで充電されうる。その後、この方法はブロック3314に進む。決定ステップ3310に戻り、PCDのバッテリの電力が充電条件に匹敵しない場合、この方法はブロック3314に直接進みうる。
【０１３５】
ブロック3314で、PCDドッキングステーションのバッテリの電力を監視しうる。次に、決定ステップ3316で、パワーマネージメントモジュールは、ドッキングステーションのバッテリの電力が警告条件に匹敵するかどうかを判定しうる。例えば、パワーマネージメントモジュールは、PCDドッキングステーションのバッテリに関連付けられたバッテリの余命が所定値(例えば、PCDドッキングステーションのバッテリの総寿命の1パーセント(%))未満かどうかを判定することができる。
【０１３６】
ドッキングステーションのバッテリの電力が警告条件に匹敵しない場合、この方法はブロック3314に戻り、本明細書に記載の通りに続行しうる。そうではなく、ドッキングステーションのバッテリの電力が警告条件に匹敵する場合、この方法3300はブロック3318に進むことができ、パワーマネージメントモジュールは第1の警告をユーザに伝送することができる。第1の警告は、音声による警告、視覚的な警告、あるいはこれらの組み合わせであってよい。この方法3300は、ブロック3318から図34のブロック3320に移動することができる。
【０１３７】
ブロック3320で、パワーマネージメントモジュールは、PCDドッキングステーションのバッテリの電力を監視することができる。次いで、この方法は決定ステップ3322に進むことができ、パワーマネージメントモジュールは、ドッキングステーションのバッテリの電力が限界条件に匹敵するかどうかを判定することができる。例えば、パワーマネージメントモジュールは、PCDドッキングステーションのバッテリに関連付けられたバッテリの余命が所定値(例えば、PCDドッキングステーションのバッテリの総寿命の1パーセント(%))未満かどうかを判定することができる。PCDドッキングステーションのバッテリの電力が限界条件に匹敵しない場合、方法3300はブロック3320に戻り、本明細書に記載の通りに続行しうる。そうではなく、PCDドッキングステーションのバッテリの電力が限界条件に匹敵する場合、方法3300はブロック3324に進むことができ、パワーマネージメントモジュールは第2の警告をユーザに伝送することができる。第2の警告は、音声による警告、視覚的な警告、またはこれらの組み合わせであってよい。
【０１３８】
この方法はブロック3324から決定ステップ3326に進むことができ、パワーマネージメントモジュールは、電源プラグがPCDドッキングステーションに差し込まれているかどうかを判定することができる。電源は交流(A/C)電源、外部直流(D/C)電源、またはこれらの組み合わせであってよい。電源プラグがPCDドッキングステーションに差し込まれている場合、方法3300はブロック3328に進むことができ、パワーマネージメントモジュールは、その電源でPCDドッキングステーションのバッテリを充電することができる。その後、この方法は図33のブロック3304に戻り、本明細書に記載の通りに続行しうる。
【０１３９】
決定ステップ3326に戻り、電源プラグがPCDドッキングステーションに差し込まれていることをパワーマネージメントモジュールが検出しない場合、方法3300はブロック3330に進むことができ、パワーマネージメントモジュールは、PCDおよびPCDドッキングステーションの電源をPCDドッキングステーションのバッテリからPCDのバッテリに切り替えることができる。次に、ブロック3332で、PCDドッキングステーションおよびPCDはPCDのバッテリから電力供給を受けることができる。
【０１４０】
ブロック3334に進むと、パワーマネージメントモジュールはPCDのバッテリの電力を監視することができる。決定ステップ3336で、パワーマネージメントモジュールは、PCDのバッテリの電力が電力低下条件に匹敵するかどうかを判定することができる。例えば、パワーマネージメントモジュールは、PCDのバッテリに関連付けられたバッテリの余命が所定値(例えば、PCDのバッテリの総寿命の1パーセント(%))未満かどうかを判定することができる。PCDのバッテリの電力が電力低下条件に匹敵しない場合、方法3300はブロック3334に戻り、本明細書に記載の通りに続行しうる。反対に、PCDのバッテリの電力が電力低下条件に匹敵する場合、方法3300はブロック3338に進むことができ、パワーマネージメントモジュールはPCD/PCDドッキングステーション組み合わせモジュールの電源を切ることができる。次いで、方法3300は終了しうる。
【０１４１】
本明細書で説明されている構成を用いると、PCD/PCDドッキングステーションの組み合わせにより、PCDとPCDドッキングステーションとの間の機能セグメント分割を行える。PCDは、本明細書で説明されている方法のうちの1つでPCDドッキングステーションと係合することができる。例えば、PCDをPCD係合メカニズム、例えば、PCDドッキングポケット、PCDドッキングトレイ、または類似のメカニズムと係合させることができる。さらに、デュアルディスプレイの使用は、例えば、PCDのディスプレイとPCDドッキングステーションのディスプレイとで実現される。PCDドッキングステーションと係合したときに、PCDはPCDドッキングステーションから充電することができる。さらに、PCDをドッキングするときに、またはドッキングを外すときに、シームレスなユーザインターフェイスとアプリケーションとの間の遷移を実現できる。
【０１４２】
特定の一態様では、PCDをドッキングするときに、またはドッキングを外すときに、ユーザインターフェイス機能を提供することができる。このような一態様は、PCD上に表示されるすべてのアプリケーションにまたがって提供することができる「フィッシュアイ」バブルである。それに加えて、アプリケーションレイヤのスケーリングも提供することができる。例えば、PCDがドッキングされたときに1次アプリケーションバージョンが実行され、PCDのドッキングが外されたときに2次アプリケーションバージョンが実行されうる。あるいは、PCDのドッキングが外されたときに標準アプリケーションバージョンが実行され、PCDがドッキングされたときに機能強化アプリケーションバージョンが実行されうる。ドッキング解除モードでは、PCDは、計算量の少ない、メモリ使用量が少なくて済むアプリケーションを実行することができる。ドッキングモードでは、PCDはフル機能のアプリケーションを実行できる。PCDがドッキングされているか、ドッキングを外されているかは、自動的に検出され、利用可能な場合に適切なアプリケーションバージョンを実行できる。
【０１４３】
PCDのドッキングが外されている場合、2つの低電力プロセッサを、小規模画面アプリケーションとPCDオペレーティングシステム(OS)に使用することができる。さらに、PCDがPCDドッキングステーションとドッキングされている場合、2つの高性能プロセッサを使用してより大きなアプリケーションを実行することができる。他の態様では、PCDがドッキングされているときに、1つのプロセッサをマウスコントロールおよびグラフィカルユーザインターフェイスコントロール、つまり、タッチスクリーンコントロールに使用し、1つのプロセッサを共有入出力コントロールに使用し、1つのプロセッサをPCD OSに使用し、1つのプロセッサをPCDドッキングステーション上に格納されているデスクトップOSに使用することができる。さらに他の態様では、それぞれのプロセッサは、異なるOSおよびフレームワークを実行することができる。
【０１４４】
PCDドッキングステーションは、ホームネットワークに接続され、そこで、PCDがPCDドッキングステーションとドッキングされると、PCDはホームネットワークに接続されうる。さらに、データ、例えば、アプリケーション、コンテンツ、あるいはこれらの組み合わせは、PCDがPCDドッキングステーションとドッキングされている場合にPCDドッキングステーションに自動的にバップアップすることができる。PCDドッキングステーションは、ディスプレイ、ディスプレイバッファ、HDD、追加メモリ、LAN機能、WLAN機能、1つまたは複数のUSBポート、プリンタ接続端子、キーボード、マウスなどを備えることができる。PCDドッキングステーションは、大規模画面アプリケーション用のメモリを備えることができる。大規模画面アプリケーションおよびOS状態を、PCDが再びドッキングされたときに瞬時にオンにできるようにPCDがドッキングを外されているときにPCDドッキングステーションのメモリ内に保持することができる。大規模画面アプリケーションとしては、ブラウザアプリケーション、ワードプロセッサアプリケーション、スプレッドシートアプリケーション、プレゼンテーションアプリケーション、電子メールアプリケーション、カレンダーアプリケーション、ビデオアプリケーション、あるいはこれらの組み合わせが挙げられる。小規模画面アプリケーションとしては、メディアプレーヤアプリケーション、電話アプリケーション、コントロールアプリケーション、あるいはこれらの組み合わせが挙げられる。
【０１４５】
PCDがPCDドッキングステーションとドッキングされている場合、ユーザは、PCDドッキングステーションに組み込まれた比較的大きなディスプレイを活用することができる。さらに、ユーザは、フルキーボードおよびマウス使用して、PCD内に格納されているデータにアクセスすることができる。PCDドッキングステーションは、自動車、キオスク、セットトップボックスなどに組み込むことができ、またPCDをそれにドッキングさせることができる。
【０１４６】
本明細書で説明されている方法ステップは、説明されている順序で必ずしも実行される必要はないことは理解されるであろう。さらに、「その後」、「次いで」、「次に」などの言い回しは、ステップの順序を制限することを意図していない。これらの言い回しは、単に、方法ステップを読者に順に説明するために使用されているだけである。
【０１４７】
1つまたは複数の例示的な態様において、説明されている関数は、ハードウェア、ソフトウェア、ファームウェア、あるいはこれらの組み合わせで実装することができる。ソフトウェアで実装された場合、これらの関数は、コンピュータ可読媒体上で1つまたは複数の命令もしくはコードとして格納または伝送されうる。コンピュータ可読媒体は、一方の場所から他方の場所へのコンピュータプログラムの転送を容易にする媒体を含むコンピュータ記憶媒体と通信媒体の両方を含む。記憶媒体は、コンピュータによってアクセスできる利用可能な媒体とすることができる。例えば、限定はしないが、このようなコンピュータ可読媒体としては、RAM、ROM、EEPROM、CD-ROM、または他の光ディスク記憶装置、磁気ディスク記憶装置、または他の磁気記憶デバイス、または命令またはデータ構造体の形態で所望のプログラムコードを搬送または格納するために使用することができ、またコンピュータによってアクセスできる他の媒体が挙げられる。また、任意の接続を、コンピュータ可読媒体と呼んで差し支えない。例えば、ソフトウェアが同軸ケーブル、光ファイバケーブル、ツイストペア線、デジタル加入者回線(DSL)、または赤外線、ラジオ、およびマイクロ波などの無線技術を使用してウェブサイト、サーバ、または他のリモートソースから送信される場合、同軸ケーブル、光ファイバケーブル、ツイストペア線、DSL、または赤外線、ラジオ、およびマイクロ波などの無線技術は、媒体の定義に含まれる。本明細書で使用されているような、「Disk」と「Disc」(両方とも日本語ではディスク)は、コンパクトディスク(CD)、レーザディスク、光ディスク、デジタル多用途ディスク(DVD)、フロッピディスク、およびブルーレイディスクを含み、「Disk」は通常磁気的にデータを再現し、「Disc」はレーザを使って光学的にデータを再現する。上記の組み合わせも、コンピュータ可読媒体の範囲に収まらなければならない。
【０１４８】
選択された態様が例示され、詳細に説明されたが、以下の特許請求の範囲により定められているように、本発明の精神および範囲から逸脱することなく様々な置換および改変を加えることができることは理解されるであろう。
【符号の説明】
【０１４９】
100  PCD
102  ハウジング
104  上側ハウジング部分
106  下側ハウジング部分
108  ディスプレイ
110  トラックボール入力デバイス
112  パワーオンボタン
114  パワーオフボタン
116  インジケータライト
118  スピーカ
120  マルチボタンキーボード
130  多ピンコネクタアレイ
132  多ピンコネクタアレイ
520  PCD
522  オンチップシステム
524  デジタルシグナルプロセッサ
526  アナログシグナルプロセッサ
528  ディスプレイコントローラ
530  タッチスクリーンコントローラ
532  タッチスクリーンディスプレイ
534  ビデオエンコーダ
536  ビデオ増幅器
538  ビデオポート
540  USBコントローラ
542  USBポート
544  メモリ
546  SIM(加入者識別モジュール)カード
548  デジタルカメラ
550  ステレオオーディオCODEC
552  オーディオ増幅器
554  第1のステレオスピーカ
556  第2のステレオスピーカ
558  マイクロホン増幅器
560  マイクロホン
562  FM(周波数変調)ラジオチューナ
564  FMアンテナ
566  ステレオヘッドホン
568  RF(無線周波数)トランシーバ
570  RFスイッチ
572  RFアンテナ
574  キーパッド
576  マイクロホン付きのモノラルヘッドセット
578  振動デバイス
580  電源
582  GPS(全地球測位システム)モジュール
584  管理モジュール
586  センサ
588  ネットワークカード
600  PCDドッキングステーション
602  ハウジング
604  下側ハウジング部分
606  上側ハウジング部分
608  第1のちょうつがい
610  第2のちょうつがい
612  第1の前足部
614  第2の前足部
616  第1の後足部
618  第2の後足部
620  ラッチアセンブリ
622  第1のフック
624  第2のフック
626  スライダ
628  第1のフックポケット
630  第2のフックポケット
640  外部デバイス接続端子
642  IEEE 1284接続端子
644  第1のUSB(ユニバーサルシリアルバス)接続端子
646  第2のUSB(ユニバーサルシリアルバス)接続端子
648  RJ-11(レジスタジャック)接続端子
650  RJ-45接続端子
652  マイクロホンジャック
654  ヘッドホン/スピーカジャック
656  Sビデオ接続端子
658  VGA(ビデオグラフィックスアレイ)接続端子
660  交流(AC)電源アダプタ接続端子
672  キーボード
674  タッチパッドマウス
676  第1のマウスボタン
678  第2のマウスボタン
680  第1のスピーカ
682  第2のスピーカ
684  指紋読取装置
690  片面開放の閉端PCDドッキングポケット
692  左側壁
694  右側壁
696  後側壁
698  前側壁
700  底面
702  多ピンコネクタアレイ
704  ラッチアセンブリ
1200  PCDドッキングステーション
1202  ハウジング
1204  下側ハウジング部分
1206  上側ハウジング部分
1210  片面開放の開端PCDドッキングポケット
1212  左側壁
1214  後側壁
1216  前側壁
1218  底面
1222  多ピンコネクタアレイ
1600  PCDドッキングステーション
1602  ハウジング
1604  下側ハウジング部分
1606  上側ハウジング部分
1610  片面閉鎖の開端PCDドッキングポケット
1612  左側壁
1614  後側壁
1616  前側壁
1618  底面
1620  上面
1622  多ピンコネクタアレイ
1624  イジェクトボタン
1800  PCDドッキングステーション
1802  ハウジング
1804  下側ハウジング部分
1806  上側ハウジング部分
1810  PCDドッキングトレイ
1812  支持板
1814  近位端
1816  遠位端
1818  面板
1820  中央開口部
1822  支持アーム
1824  近位端
1826  遠位端
1828  多ピンコネクタアレイ
1830  イジェクトボタン
2300  PCDドッキングステーション
2302  ハウジング
2304  下側ハウジング部分
2306  上側ハウジング部分
2310  PCDドッキングトレイ
2312  支持板
2314  近位端
2316  遠位端
2318  面板
2320  支持リップ
2328  多ピンコネクタアレイ
2330  イジェクトボタン
2600  PCDドッキングステーション
2602  ハウジング
2604  下側ハウジング部分
2606  上側ハウジング部分
2610  片面開放の閉端PCDドッキングポケット
2612  左側壁
2614  右側壁
2616  後側壁
2618  前側壁
2620  底面
2622  多ピンコネクタアレイ
2624  ラッチアセンブリ
2800  PCDシステム
2802  PCD
2804  PCDドッキングステーション
2806  ドックコネクタ
2808  PCB(プリント基板)
2810  バッテリ
2820  バッテリ
2822  パワーマネージメントモジュール
2824  AC(交流)電源接続端子
2838  第1のUSB-HS(Universal Serial Bus-High Speed)ポート
2840  第1のUSBコネクタ
2848  第2のUSB-HSポート
2856  キーボード
2860  ディスプレイ
2868  アース接続端子
2900  PCDシステム
2902  PCD
2904  PCDドッキングステーション
2906  ドックコネクタ
2908  PCB(プリント基板)
2910  バッテリ
2920  バッテリ
2922  パワーマネージメントモジュール
2924  AC(交流)電源接続端子
2926  オーディオI/O(入出力)
2934  GbE MAC(Gigabit Ethernet(登録商標) Media Access Controller、ギガビットイーサネット(登録商標)メディアアクセスコントローラ)
2936  イーサネット(登録商標)ポート
2938  第1のUSB-HS(Universal Serial Bus-High Speed)ポート
2942  第1のUSBコネクタ
2948  第2のUSB-HSポート
2950  第2のUSBコネクタ
2954  第3のUSB-HSポート
2956  キーボード
2960  ディスプレイ
2962  RGB(A)コネクタ
2964  D-subコネクタ
2968  アース接続端子
3000  PCDシステム
3002  PCD
3004  PCDドッキングステーション
3006  ドックコネクタ
3008  PCB(プリント基板)
3010  バッテリ
3020  バッテリ
3022  パワーマネージメントモジュール
3024  AC(交流)電源接続端子
3026  オーディオI/O(入出力)
3028  スピーカ
3030  MDDI(モバイルディスプレイデジタルインターフェイス)
3032  カメラ
3034  GbE MAC(Gigabit Ethernet(登録商標) Media Access Controller)
3036  イーサネット(登録商標)ポート
3038  第1のUSB-HS(Universal Serial Bus-High Speed)ポート
3040  USBハブ
3042  第1のUSBコネクタ
3044  第2のUSBコネクタ
3046  キーボード
3048  第2のUSB-HSポート
3050  第1のSATA(Serial Advanced Technology Attachment)-USB変換器
3052  DVD(デジタルビデオディスク)ドライブ
3054  第3のUSB-HSポート
3060  ディスプレイ
3062  RGB(A)コネクタ
3064  D-subコネクタ
3068  アース接続端子
3100  PCDシステム
3102  PCD
3104  PCDドッキングステーション
3106  ドックコネクタ
3108  PCB(プリント基板)
3110  バッテリ
3120  バッテリ
3122  パワーマネージメントモジュール
3124  AC(交流)電源接続端子
3126  オーディオI/O(入出力)
3128  スピーカ
3130  MDDI(モバイルディスプレイデジタルインターフェイス)
3132  カメラ
3134  GbE MAC(Gigabit Ethernet(登録商標) Media Access Controller)
3136  イーサネット(登録商標)ポート
3138  第1のUSB-HS(Universal Serial Bus-High Speed)ポート
3140  USBハブ
3142  第1のUSBコネクタ
3144  第2のUSBコネクタ
3146  キーボード
3148  第2のUSB-HSポート
3150  第1のSATA(Serial Advanced Technology Attachment)-USB変換器
3152  DVD(デジタルビデオディスク)ドライブ
3154  第3のUSB-HSポート
3156  第2のSATA-USBコンバータ
3158  ハードディスクドライブ(HDD)
3160  ディスプレイ
3162  RGB(A)コネクタ
3164  D-subコネクタ
3166  HDMI(High-Definition Multimedia Interface)
3168  アース接続端子
3200  PCDプロセッサシステム
3202  第1のコアプロセッサ
3204  第2のコアプロセッサ
3206  第3のコアプロセッサ
3208  第4のコアプロセッサ
3210  32ビットプロセッサ
3214  プロセスモニタおよびロードレベラ
3216  第1のプロセス
3218  第2のプロセス
3220  第3のプロセス
3222  第4のプロセス
3224  第5のプロセス
3226  第6のプロセス
3228  第7のプロセス
3230  第Nのプロセス
3232  モデムRTOS(リアルタイムオペレーティングシステム)
3234  アプリケーションRTOS
3236  アプリケーション
【図１】
0005635072.tif 000002
【図２】
0005635072.tif 000003
【図３】
0005635072.tif 000004
【図４】
0005635072.tif 000005
【図５】
0005635072.tif 000006
【図６】
0005635072.tif 000007
【図７】
0005635072.tif 000008
【図８】
0005635072.tif 000009
【図９】
0005635072.tif 000010
【図１０】
0005635072.tif 000011
【図１１】
0005635072.tif 000012
【図１２】
0005635072.tif 000013
【図１３】
0005635072.tif 000014
【図１４】
0005635072.tif 000015
【図１５】
0005635072.tif 000016
【図１６】
0005635072.tif 000017
【図１７】
0005635072.tif 000018
【図１８】
0005635072.tif 000019
【図１９】
0005635072.tif 000020
【図２０】
0005635072.tif 000021
【図２１】
0005635072.tif 000022
【図２２】
0005635072.tif 000023
【図２３】
0005635072.tif 000024
【図２４】
0005635072.tif 000025
【図２５】
0005635072.tif 000026
【図２６】
0005635072.tif 000027
【図２７】
0005635072.tif 000028
【図２８】
0005635072.tif 000029
【図２９】
0005635072.tif 000030
【図３０】
0005635072.tif 000031
【図３１】
0005635072.tif 000032
【図３２】
0005635072.tif 000033
【図３３】
0005635072.tif 000034
【図３４】
0005635072.tif 000035